(57)【要約】【課題】利用側ユニットの電磁弁に開放に起因する液ハンマー現象を抑える。【解決手段】冷凍装置（10）では、利用側ユニット（12）が一対の連絡配管（14,15）を介して熱源側ユニット（11）に接続される。利用側ユニット（12）が冷却状態から休止状態に切り換わるとき、制御器（90）は、熱源側膨張弁（38）を閉じた後に圧縮機（31a〜31c）の停止と上記利用側電磁弁（62）の閉鎖とを行う。【選択図】図１
2018021723.tif 000002
【特許請求の範囲】
【請求項１】
熱源側ユニット（11）と利用側ユニット（12）が液側連絡配管（14）及びガス側連絡配管（15）を介して接続された冷媒回路（20）を備え、
上記冷媒回路（20）で冷媒を循環させて冷凍サイクルを行う冷凍装置であって、
上記熱源側ユニット（11）は、圧縮機（31a〜31c）と、熱源側熱交換器（33）と、該熱源側熱交換器（33）で凝縮した冷媒を上記液側連絡配管（14）へ送るための配管（53c）に設けられた熱源側膨張弁（38）とを有し、
上記利用側ユニット（12）は、直列に配置された利用側熱交換器（61）と利用側膨張弁（63）と利用側電磁弁（62）とを有し、上記利用側電磁弁（62）が開いて上記利用側熱交換器（61）が蒸発器として機能する冷却状態と、上記利用側電磁弁（62）が閉じて上記利用側熱交換器（61）における冷媒の流通が遮断される休止状態とに切り換わる一方、
上記利用側ユニット（12）が上記冷却状態から上記休止状態に切り換わるときに、上記熱源側膨張弁（38）を閉じた後に上記圧縮機（31a〜31c）の停止と上記利用側電磁弁（62）の閉鎖とを行うように構成された制御器（90）を備えている
ことを特徴とする冷凍装置。
【請求項２】
請求項１において、
上記制御器（90）は、上記利用側ユニット（12）が上記冷却状態から上記休止状態に切り換わるときに、上記熱源側膨張弁（38）を閉じる前に、上記液側連絡配管（14）を流れる冷媒が気液二相状態となるように上記熱源側膨張弁（38）の開度を絞る準備動作を行うように構成されている
ことを特徴とする冷凍装置。
【請求項３】
請求項２において、
上記熱源側ユニット（11）は、
上記熱源側膨張弁（38）から上記液側連絡配管（14）へ送られる冷媒の圧力を計測する液側圧力センサ（87）と、
上記熱源側膨張弁（38）から上記液側連絡配管（14）へ送られる冷媒の温度を計測する液側温度センサ（82）とを備える一方、
上記制御器（90）は、上記液側圧力センサ（87）の計測圧力が上記液側温度センサ（82）の計測温度における冷媒の飽和圧力未満となるように上記熱源側膨張弁（38）の開度を絞る動作を、上記準備動作として行うように構成されている
ことを特徴とする冷凍装置。
【発明の詳細な説明】
【技術分野】
【０００１】
本発明は、冷媒回路で冷媒を循環させて冷凍サイクルを行う冷凍装置に関するものである。
【背景技術】
【０００２】
冷凍サイクルを行う冷凍装置の冷媒回路には、冷媒の流れを制御するために電磁弁が設けられる場合がある。一般的な電磁弁は、ソレノイドへの通電を断続することによって、開状態と閉状態に相互に切り換わる。
【０００３】
冷凍装置の冷媒回路では、高圧の液冷媒が流れる配管に、電磁弁が設けられる場合がある。この電磁弁が閉じた状態では、高圧の液冷媒の流れが電磁弁によって遮断される。そして、電磁弁の両側の圧力差が大きい状態で電磁弁が開くと、実質的に非圧縮性で且つ密度が比較的高い液冷媒が電磁弁の下流側へ急激に流入して液ハンマー現象が生じ、配管や膨張弁等の機器の破損を招くおそれがある。
【０００４】
特許文献１には、電磁弁の開放に起因する液ハンマー現象を抑えるため、液冷媒の流れる配管を電気ヒータで加熱することが開示されている。つまり、配管を電気ヒータで加熱することによって配管内の冷媒の一部を蒸発させ、電磁弁の開放に起因する配管内の圧力の急激な上昇を、配管内に圧縮性のガス冷媒を存在させることによって緩和している。
【先行技術文献】
【特許文献】
【０００５】
【特許文献１】特開平１１−３２５６５４号公報
【発明の概要】
【発明が解決しようとする課題】
【０００６】
上述した特許文献１の冷凍装置では、電磁弁の開放に起因する液ハンマー現象を抑えるために、配管を加熱するための電気ヒータが必要である。このため、冷凍装置の部品点数が増加し、製造コストの上昇を招く。また、電磁弁の閉鎖中は電気ヒータによって配管を加熱し続ける必要があり、冷凍装置の消費電量が増加し、冷凍装置のランニングコストの上昇を招くおそれがある。
【０００７】
本発明は、かかる点に鑑みてなされたものであり、その目的は、冷凍装置の製造コストやランニングコストの上昇を抑えつつ、電磁弁の開放に起因する液ハンマー現象を抑えることにある。
【課題を解決するための手段】
【０００８】
第１の発明は、熱源側ユニット（11）と利用側ユニット（12）が液側連絡配管（14）及びガス側連絡配管（15）を介して接続された冷媒回路（20）を備え、上記冷媒回路（20）で冷媒を循環させて冷凍サイクルを行う冷凍装置を対象とする。そして、上記熱源側ユニット（11）は、圧縮機（31a〜31c）と、熱源側熱交換器（33）と、該熱源側熱交換器（33）で凝縮した冷媒を上記液側連絡配管（14）へ送るための配管（53c）に設けられた熱源側膨張弁（38）とを有し、上記利用側ユニット（12）は、直列に配置された利用側熱交換器（61）と利用側膨張弁（63）と利用側電磁弁（62）とを有し、上記利用側電磁弁（62）が開いて上記利用側熱交換器（61）が蒸発器として機能する冷却状態と、上記利用側電磁弁（62）が閉じて上記利用側熱交換器（61）における冷媒の流通が遮断される休止状態とに切り換わる一方、上記利用側ユニット（12）が上記冷却状態から上記休止状態に切り換わるときに、上記熱源側膨張弁（38）を閉じた後に上記圧縮機（31a〜31c）の停止と上記利用側電磁弁（62）の閉鎖とを行うように構成された制御器（90）を備えるものである。
【０００９】
第１の発明では、熱源側ユニット（11）と複数の利用側ユニット（12）が冷媒回路（20）に設けられる。熱源側ユニット（11）の熱源側熱交換器（33）において凝縮した冷媒は、液側連絡配管（14）を通って利用側ユニット（12）へ流入する。利用側ユニット（12）において、液側連絡配管（14）から供給された冷媒は、利用側膨張弁（63）を通過する際に膨張し、その後に利用側熱交換器（61）へ流入して蒸発する。利用側熱交換器（61）では、空気等の冷却対象が冷媒によって冷却される。利用側ユニット（12）の利用側熱交換器（61）において蒸発した冷媒は、ガス側連絡配管（15）を通って熱源側ユニット（11）へ流入し、その後に圧縮機（31a〜31c）へ吸入されて圧縮される。
【００１０】
第１の発明において、利用側ユニット（12）が冷却状態から休止状態へ切り換わるときには、制御器（90）が所定の動作を行う。この制御器（90）の動作を説明する。制御器（90）は、先ず熱源側膨張弁（38）を閉じる。この時点では圧縮機（31a〜31c）が作動しているため、液側連絡配管（14）の冷媒圧力が次第に低下してゆく。制御器（90）は、その後に圧縮機（31a〜31c）の停止と利用側電磁弁（62）の閉鎖とを行う。このため、利用側電磁弁（62）が閉鎖された時点では、利用側ユニット（12）が冷却状態であるときに比べて、利用側電磁弁（62）の流入側に存在する冷媒の密度が小さくなる。
【００１１】
第２の発明は、上記第１の発明において、上記制御器（90）は、上記利用側ユニット（12）が上記冷却状態から上記休止状態に切り換わるときに、上記熱源側膨張弁（38）を閉じる前に、上記液側連絡配管（14）を流れる冷媒が気液二相状態となるように上記熱源側膨張弁（38）の開度を絞る準備動作を行うように構成されるものである。
【００１２】
第２の発明の制御器（90）は、利用側ユニット（12）が冷却状態から休止状態に切り換わるときに、準備動作を行った後に熱源側膨張弁（38）を閉じる。準備動作において、制御器（90）は、液側連絡配管（14）を流れる冷媒が気液二相状態となるように、熱源側膨張弁（38）の開度を絞る。このため、熱源側膨張弁（38）が閉鎖され、その後に利用側電磁弁（62）が閉鎖された時点では、液側連絡配管（14）に液冷媒とガス冷媒の両方が存在することになる。
【００１３】
第３の発明は、上記第２の発明において、上記熱源側ユニット（11）は、上記熱源側膨張弁（38）から上記液側連絡配管（14）へ送られる冷媒の圧力を計測する液側圧力センサ（87）と、上記熱源側膨張弁（38）から上記液側連絡配管（14）へ送られる冷媒の温度を計測する液側温度センサ（82）とを備える一方、上記制御器（90）は、上記液側圧力センサ（87）の計測圧力が上記液側温度センサ（82）の計測温度における冷媒の飽和圧力未満となるように上記熱源側膨張弁（38）の開度を絞る動作を、上記準備動作として行うように構成されるものである。
【００１４】
第３の発明において、制御器（90）は、液側圧力センサ（87）の計測圧力と液側温度センサ（82）の計測温度とを用いて、準備動作を行う。制御器（90）が準備動作を行い、液側圧力センサ（87）の計測圧力が液側温度センサ（82）の計測温度における冷媒の飽和圧力未満になった状態では、液側連絡配管（14）を流れる冷媒が気液二相状態となっている。
【発明の効果】
【００１５】
本発明では、利用側ユニット（12）が冷却状態から休止状態へ切り換わるときには、制御器（90）が所定の動作を行う。このため、利用側電磁弁（62）が閉鎖された時点では、利用側ユニット（12）が冷却状態であるときに比べて、利用側電磁弁（62）の流入側に存在する冷媒の密度が小さくなる。
【００１６】
閉鎖状態となっている利用側電磁弁（62）の流入側に存在する冷媒の密度が低いほど、利用側電磁弁（62）を開いた際に液ハンマー現象による弊害が生じる可能性が低くなる。一方、本発明によれば、利用側電磁弁（62）が閉鎖される前に、液側連絡配管（14）の冷媒圧力を低下させることによって、利用側電磁弁（62）の流入側に存在する冷媒の密度を予め低下させておくことができる。従って、本発明によれば、閉鎖状態となっている利用側電磁弁（62）の流入側に存在する冷媒の密度を低く抑えることによって、利用側電磁弁（62）を開いた際に液ハンマー現象が生じる可能性を低減できる。
【００１７】
上記第２の発明の制御器（90）は、利用側ユニット（12）が冷却状態から休止状態に切り換わるときに、準備動作を行った後に熱源側膨張弁（38）を閉じる。このため、熱源側膨張弁（38）の閉鎖後に利用側電磁弁（62）が閉鎖された時点では、液側連絡配管（14）に圧縮性を有するガス冷媒が存在することになる。液側連絡配管（14）にガス冷媒が存在すると、利用側電磁弁（62）を開いた際の圧力変動が、ガス冷媒の体積変化によって緩和される。従って、この発明によれば、液側連絡配管（14）にガス冷媒を存在させることによって、利用側電磁弁（62）を開いた際に液ハンマー現象が生じる可能性を一層低減できる。
【００１８】
上記第３の発明によれば、制御器（90）が液側圧力センサ（87）及び液側温度センサ（82）の計測値を用いて準備動作を行うことによって、液側連絡配管（14）を流れる冷媒を確実に気液二相状態とすることができる。
【図面の簡単な説明】
【００１９】
【図１】図１は、実施形態１の冷凍装置の概略構成を示す冷媒回路図である。
【図２】図２は、通常運転中の冷凍装置を示す冷媒回路図である。
【図３】図３は、主制御器の構成を示すブロック図である。
【図４】図４は、主制御器の液ハンマー回避制御部が行う動作を示すフロー図である。
【図５】図５は、実施形態２の冷凍装置の概略構成を示す冷媒回路図である。
【発明を実施するための形態】
【００２０】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００２１】
《実施形態１》
実施形態１について説明する。本実施形態の冷凍装置（10）は、冷蔵庫の庫内空間を冷却するためのものである。
【００２２】
図１に示すように、冷凍装置（10）は、一台の熱源側ユニット（11）と、一台の利用側ユニット（12）とを備えている。熱源側ユニット（11）は、いわゆる室外ユニットであって、屋外に設置される。利用側ユニット（12）は、いわゆるユニットクーラーであって、冷蔵庫の庫内に設置される。
【００２３】
熱源側ユニット（11）には、熱源側回路（21）と熱源側ファン（22）と主制御器（90）とが設けられている。一方、利用側ユニット（12）には、利用側回路（23）と利用側ファン（24）とドレンパン（25）と利用側制御器（99）とが設けられている。
【００２４】
冷凍装置（10）では、熱源側ユニット（11）の熱源側回路（21）と利用側ユニット（12）の利用側回路（23）とを液側連絡配管（14）及びガス側連絡配管（15）で接続することによって、冷媒回路（20）が構成されている。冷媒回路（20）は、冷媒を循環させることによって蒸気圧縮式の冷凍サイクルを行う。
【００２５】
熱源側回路（21）は、その液側端に液閉鎖弁（V1）が設けられ、そのガス側端にガス閉鎖弁（V2）が設けられている。液側連絡配管（14）は、熱源側回路（21）の液閉鎖弁（V1）を、利用側回路（23）の液側端に接続している。ガス側連絡配管（15）は、熱源側回路（21）のガス閉鎖弁（V2）を、利用側回路（23）のガス側端に接続している。
【００２６】
−熱源側回路−
熱源側回路（21）は、第１〜第３圧縮機（31a,31b,31c）と、四方切換弁（32）と、熱源側熱交換器（33）と、過冷却熱交換器（34）と、過冷却膨張弁（35）と、第１〜第３中間膨張弁（36a,36b,36c）と、レシーバ（37）と、熱源側膨張弁（38）と、第１〜第３逆止弁（CV1〜CV3）と、油分離器（41）とを有している。また、熱源側回路（21）には、吐出冷媒配管（51）と、吸入冷媒配管（52）と、熱源側液冷媒配管（53）と、インジェクション配管（54）と、第１接続配管（55）と、第２接続配管（56）と、油戻し配管（57）とが設けられている。なお、熱源側ユニット（11）に設けられる圧縮機（31a〜31c）の台数は、単なる例示である。
【００２７】
〈圧縮機〉
第１〜第３圧縮機（31a,31b,31c）は、いずれもスクロール式の全密閉型圧縮機である。各圧縮機（31a〜31c）には、吸入ポートと、中間ポートと、吐出ポートとが設けられている。圧縮機（31a〜31c）は、吸入ポートから吸い込んだ冷媒を圧縮し、圧縮した冷媒を吐出ポートから吐き出す。また、圧縮機（31a〜31c）の中間ポートは、圧縮途中の圧縮室へ冷媒を導入するためのポートである。
【００２８】
第１圧縮機（31a）は、その容量が可変である。第１圧縮機（31a）の電動機には、図外のインバータから電力が供給される。インバータの出力周波数を変更すると、第１圧縮機（31a）の回転速度が変化し、第１圧縮機（31a）の運転容量が変化する。一方、第２圧縮機（31b）と第３圧縮機（31c）のそれぞれは、その容量が固定である。第２圧縮機（31b）及び第３圧縮機（31c）は、一定の回転速度で回転する。
【００２９】
〈四方切換弁〉
四方切換弁（32）は、第１ポートと第３ポートとが連通し且つ第２ポートと第４ポートとが連通する第１状態（図１に実線で示す状態）と、第１ポートと第４ポートとが連通し且つ第２ポートと第３ポートとが連通する第２状態（図１に破線で示す状態）とに切り換え可能に構成されている。
【００３０】
四方切換弁（32）は、その第１ポートが吐出冷媒配管（51）によって圧縮機（31a〜31c）の吐出ポートに接続され、その第２ポートが吸入冷媒配管（52）によって圧縮機（31a〜31c）の吸入ポートに接続されている。また、四方切換弁（32）は、その第３ポートが熱源側熱交換器（33）のガス側端に接続され、その第４ポートがガス閉鎖弁（V2）に接続されている。
【００３１】
〈吐出冷媒配管，吸入冷媒配管〉
吐出冷媒配管（51）は、圧縮機（31a〜31c）と同数（本実施形態では三本）の吐出管（51a,51b,51c）と、一本の吐出合流管（51d）とによって構成されている。第１吐出管（51a）の一端は第１圧縮機（31a）の吐出ポートに、第２吐出管（51b）の一端は第２圧縮機（31b）の吐出ポートに、第３吐出管（51c）の一端は第３圧縮機（31c）の吐出ポートに、それぞれ接続されている。各吐出管（51a,51b,51c）の他端は、吐出合流管（51d）の一端に接続されている。吐出合流管（51d）の他端は、四方切換弁（32）の第１ポートに接続されている。
【００３２】
吸入冷媒配管（52）は、圧縮機（31a〜31c）と同数（本実施形態では三本）の吸入管（52a,52b,52c）と、一本の吸入主管（52d）とによって構成されている。第１吸入管（52a）の一端は第１圧縮機（31a）の吸入ポートに、第２吸入管（52b）の一端は第２圧縮機（31b）の吸入ポートに、第３吸入管（52c）の一端は第３圧縮機（31c）の吸入ポートに、それぞれ接続されている。各吸入管（52a,52b,52c）の他端は、吸入主管（52d）の一端に接続されている。吸入主管（52d）の他端は、四方切換弁（32）の第２ポートに接続されている。
【００３３】
〈熱源側熱交換器〉
熱源側熱交換器（33）は、クロスフィン式のフィン・アンド・チューブ型熱交換器であって、冷媒を室外空気と熱交換させる。熱源側熱交換器（33）は、その液側端が熱源側液冷媒配管（53）に接続され、そのガス側端が四方切換弁（32）の第３ポートに接続されている。また、熱源側熱交換器（33）の近傍には、熱源側熱交換器（33）へ室外空気を供給するための熱源側ファン（22）が配置されている。
【００３４】
〈過冷却熱交換器〉
過冷却熱交換器（34）は、いわゆるプレート式熱交換器である。過冷却熱交換器（34）には、第１流路（34a）と第２流路（34b）とが複数ずつ形成されている。過冷却熱交換器（34）は、第１流路（34a）を流れる冷媒を、第２流路（34b）を流れる冷媒と熱交換させる。
【００３５】
〈熱源側液冷媒配管〉
熱源側液冷媒配管（53）は、その一端が熱源側熱交換器（33）に接続され、その他端が液閉鎖弁（V1）に接続されている。熱源側液冷媒配管（53）は、三本の熱源側液管（53a,53b,53c）によって構成されている。第１熱源側液管（53a）は、熱源側熱交換器（33）の液側端とレシーバ（37）の入口を接続する。第２熱源側液管（53b）は、レシーバ（37）の出口と過冷却熱交換器（34）の第１流路（34a）の入口を接続する。第３熱源側液管（53c）は、過冷却熱交換器（34）の第１流路（34a）の出口と液閉鎖弁（V1）を接続する。
【００３６】
第１熱源側液管（53a）には、第１逆止弁（CV1）が設けられている。第１逆止弁（CV1）は、熱源側熱交換器（33）からレシーバ（37）へ向かう冷媒の流れを許容し、逆向きの冷媒の流れを阻止する。
【００３７】
第３熱源側液管（53c）には、過冷却熱交換器（34）から液閉鎖弁（V1）へ向かって順に、熱源側膨張弁（38）と第２逆止弁（CV2）とが設けられている。熱源側膨張弁（38）は、開度可変の電動膨張弁である。第２逆止弁（CV2）は、過冷却熱交換器（34）から液閉鎖弁（V1）へ向かう冷媒の流れを許容し、逆向きの冷媒の流れを阻止する。
【００３８】
〈インジェクション配管〉
インジェクション配管（54）は、二本のインジェクション主管（54m,54n）と、三本のインジェクション分岐管（54a,54b,54c）とによって構成されている。
【００３９】
第１インジェクション主管（54m）は、一端が第３熱源側液管（53c）における過冷却熱交換器（34）と熱源側膨張弁（38）の間に接続され、他端が過冷却熱交換器（34）の第２流路（34b）の入口に接続されている。この第１インジェクション主管（54m）は、過冷却用配管を構成している。第１インジェクション主管（54m）には、過冷却膨張弁（35）が設けられている。第２インジェクション主管（54n）は、その一端が過冷却熱交換器（34）の第２流路（34b）の出口に接続されている。第２インジェクション主管（54n）の他端には、各インジェクション分岐管（54a,54b,54c）の一端が接続されている。
【００４０】
第１インジェクション分岐管（54a）の他端は第１圧縮機（31a）の中間ポートに、第２インジェクション分岐管（54b）の他端は第２圧縮機（31b）の中間ポートに、第３インジェクション分岐管（54c）の他端は第３圧縮機（31c）の中間ポートに、それぞれ接続されている。各インジェクション分岐管（54a〜54c）には、中間膨張弁（36a,36b,36c）が一つずつ設けられている。各中間膨張弁（36a〜36c）は、開度可変の電動膨張弁である。
【００４１】
〈接続配管〉
第１接続配管（55）は、一端が第３熱源側液管（53c）における第２逆止弁（CV2）と液閉鎖弁（V1）の間に接続され、他端が第１熱源側液管（53a）における第１逆止弁（CV1）とレシーバ（37）の間に接続されている。第１接続配管（55）には、第３逆止弁（CV3）が設けられている。第３逆止弁（CV3）は、第１接続配管（55）の一端から他端へ向かう冷媒の流れを許容し、逆向きの冷媒の流れを阻止する。
【００４２】
第２接続配管（56）は、一端が第３熱源側液管（53c）における熱源側膨張弁（38）と第２逆止弁（CV2）の間に接続され、他端が第１熱源側液管（53a）における熱源側熱交換器（33）と第１逆止弁（CV1）の間に接続されている。第２接続配管（56）には、第４逆止弁（CV4）が設けられている。第４逆止弁（CV4）は、第２接続配管（56）の一端から他端へ向かう冷媒の流れを許容し、逆向きの冷媒の流れを阻止する。
【００４３】
〈油分離器、油戻し配管〉
油分離器（41）は、吐出冷媒配管（51）の吐出合流管（51d）に設けられている。圧縮機（31a〜31c）からは、ミスト状の冷凍機油を含んだガス冷媒が吐出される。油分離器（41）は、圧縮機（31a〜31c）から吐出された冷媒から冷凍機油を分離する。
【００４４】
油戻し配管（57）は、油分離器（41）から圧縮機（31a〜31c）へ冷凍機油を戻すための配管である。この油戻し配管（57）は、一端が油分離器（41）に接続され、他端が第２インジェクション主管（54n）に接続されている。また、油戻し配管（57）には、キャピラリチューブ（42）が設けられている。
【００４５】
〈温度センサ、圧力センサ〉
熱源側回路（21）には、温度センサ（81a,81b,81c,82）と圧力センサ（85,86,87）とが複数ずつ設けられている。
【００４６】
吐出冷媒配管（51）の各吐出管（51a,51b,51c）には、吐出冷媒温度センサ（81a,81b,81c）が一つずつ設けられている。第１吐出冷媒温度センサ（81a）は、第１吐出管（51a）に取り付けられ、第１圧縮機（31a）から吐出された冷媒の温度を計測する。第２吐出冷媒温度センサ（81b）は、第２吐出管（51b）に取り付けられ、第２圧縮機（31b）から吐出された冷媒の温度を計測する。第３吐出冷媒温度センサ（81c）は、第３吐出管（51c）に取り付けられ、第３圧縮機（31c）から吐出された冷媒の温度を計測する。
【００４７】
熱源側液冷媒配管（53）には、液冷媒温度センサ（82）が設けられている。液冷媒温度センサ（82）は、第３熱源側液管（53c）に取り付けられ、第３熱源側液管（53c）を流れる冷媒の温度を計測する。この液冷媒温度センサ（82）は、液側温度センサである。
【００４８】
吐出圧力センサ（85）は、吐出冷媒配管（51）の吐出合流管（51d）に接続され、圧縮機（31a〜31c）から吐出された冷媒の圧力を計測する。吸入圧力センサ（86）は、吸入冷媒配管（52）の吸入主管（52d）に接続され、圧縮機（31a〜31c）へ吸入される冷媒の圧力を計測する。液冷媒圧力センサ（87）は、熱源側液冷媒配管（53）の第３熱源側液管（53c）に接続され、第３熱源側液管（53c）を流れる冷媒の圧力を計測する。この液冷媒圧力センサ（87）は、液側圧力センサである。
【００４９】
−利用側回路−
利用側回路（23）は、利用側熱交換器（61）と、ドレンパンヒーター（71b）と、利用側電磁弁（62）と、利用側膨張弁（63）と一つずつを有している。また、利用側回路（23）には、利用側液冷媒配管（71）と、利用側ガス冷媒配管（72）とが一つずつ設けられている。
【００５０】
〈利用側熱交換器〉
利用側熱交換器（61）は、クロスフィン式のフィン・アンド・チューブ型熱交換器であって、冷媒を庫内空気と熱交換させる。また、利用側熱交換器（61）の近傍には、利用側熱交換器（61）へ庫内空気を供給するための利用側ファン（24）が配置されている。
【００５１】
〈ドレンパンヒーター〉
ドレンパンヒーター（71b）は、利用側熱交換器（61）の下方に配置されたドレンパン（25）に設けられた配管によって構成されている。このドレンパンヒーター（71b）は、ドレンパン（25）を暖めてドレン水の凍結を防ぐためのものである。
【００５２】
〈利用側液冷媒配管、利用側ガス冷媒配管〉
利用側液冷媒配管（71）は、第１利用側液管（71a）と第２利用側液管（71c）とによって構成されている。第１利用側液管（71a）は、一端が液側連絡配管（14）に接続され、他端がドレンパンヒーター（71b）の一端に接続されている。第１利用側液管（71a）の一端は、利用側回路（23）の液側端を構成している。第２利用側液管（71c）は、一端がドレンパンヒーター（71b）の他端に接続され、他端が利用側熱交換器（61）の液側端に接続されている。
【００５３】
利用側ガス冷媒配管（72）は、その一端が利用側熱交換器（61）のガス側端に接続され、その他端がガス側連絡配管（15）に接続されている。利用側ガス冷媒配管（72）の他端は、利用側回路（23）のガス側端を構成している。
【００５４】
〈利用側電磁弁，利用側膨張弁〉
利用側電磁弁（62）及び利用側膨張弁（63）は、利用側液冷媒配管（71）の第２利用側液管（71c）に設けられている。第２利用側液管（71c）において、利用側膨張弁（63）は、利用側電磁弁（62）と利用側熱交換器（61）の間に配置されている。
【００５５】
利用側電磁弁（62）は、ソレノイドへの通電を断続することによって、開状態と閉状態に切り換わる。利用側電磁弁（62）が開状態になると、利用側ユニット（12）は、利用側熱交換器（61）が蒸発器として機能して庫内空気を冷却する冷却状態となる。利用側電磁弁（62）が閉状態になると、利用側ユニット（12）は、利用側熱交換器（61）における冷媒の流通が遮断される休止状態となる。
【００５６】
利用側膨張弁（63）は、外部均圧形の温度自動膨張弁である。利用側膨張弁（63）の感温筒（63a）は、利用側ガス冷媒配管（72）の一端（利用側熱交換器（61）側の端部）近傍に取り付けられている。また、利用側膨張弁（63）の均圧管（63b）は、利用側ガス冷媒配管（72）の一端近傍に接続されている。
【００５７】
−主制御器−
図２に示すように、熱源側ユニット（11）の主制御器（90）は、圧縮機制御部（91）と、中間膨張弁制御部（92）と、過冷却膨張弁制御部（93）と、熱源側膨張弁制御部（94）とを備えている。主制御器（90）には、熱源側ユニット（11）に設けられた温度センサ（81a,81b,81c,82）及び圧力センサ（85,86,87）が入力される。また、主制御器（90）には、利用側ユニット（12）の利用側制御器（99）からサーモオフ信号が入力される。主制御器（90）が行う制御動作については後述する。
【００５８】
−利用側制御器−
図示しないが、利用側ユニット（12）には、吸込空気温度センサが設けられている。吸込空気温度センサは、利用側熱交換器（61）を通過する前の庫内空気の温度を計測する。利用側制御器（99）には、この吸込空気温度センサの計測値が入力される。利用側制御器（99）は、吸込空気温度センサの計測値に基づいて、利用側電磁弁（62）を開閉する。また、利用側制御器（99）は、利用側電磁弁（62）を閉鎖する場合にサーモオフ信号を出力する。この利用側制御器（99）が行う動作については後述する。
【００５９】
−冷凍装置の運転動作−
冷凍装置（10）では、庫内を冷却する通常運転と、利用側熱交換器（61）に付着した霜を融かすためのデフロスト運転とを、選択的に実行する。ここでは、通常運転について詳しく説明し、デフロスト運転の詳しい説明は省略する。
【００６０】
なお、デフロスト運転では、四方切換弁（32）が第２状態に設定され、利用側熱交換器（61）が凝縮器として機能し、熱源側熱交換器（33）が蒸発器として機能する。また、デフロスト運転では、利用側ファン（24）が停止状態となる。
【００６１】
〈通常運転〉
冷凍装置（10）の通常運転について、図２を参照しながら説明する。通常運転中の冷媒回路（20）では、冷媒を循環させることによって冷凍サイクルが行われ、熱源側熱交換器（33）が凝縮器として機能し、利用側熱交換器（61）が蒸発器として機能する。
【００６２】
ここでは、両方の利用側ユニット（12）が冷却状態となり、全ての圧縮機（31a〜31c）が作動している場合を例に、通常運転について説明する。
【００６３】
図２に示すように、通常運転では、四方切換弁（32）が第１状態に設定される。過冷却膨張弁（35）、中間膨張弁（36a,36b,36c）、及び熱源側膨張弁（38）は、主制御器（90）によって制御される。この主制御器（90）の動作については後述する。また、図２に示す場合には、各利用側ユニット（12）の利用側電磁弁（62）が開状態に設定される。
【００６４】
圧縮機（31a〜31c）から吐出された冷媒は、吐出冷媒配管（51）において油分離器（41）を通過した後に、四方切換弁（32）を通過して熱源側熱交換器（33）に流入し、熱源側熱交換器（33）において室外空気へ放熱して凝縮する。熱源側熱交換器（33）から流出した冷媒（高圧冷媒）は、第１熱源側液管（53a）とレシーバ（37）と第２熱源側液管（53b）とを順に通過して過冷却熱交換器（34）の第１流路（34a）へ流入し、過冷却熱交換器（34）の第２流路（34b）を流れる冷媒によって冷却される。過冷却熱交換器（34）の第１流路（34a）から第３熱源側液管（53c）へ流入した過冷却状態の液冷媒は、その一部が第１インジェクション主管（54m）に流入し、残りが熱源側膨張弁（38）と液閉鎖弁（V1）を順に通過した後に液側連絡配管（14）へ流入する。
【００６５】
液側連絡配管（14）に流入した冷媒は、各利用側ユニット（12）の利用側回路（23）へ分配される。各利用側回路（23）において、第１利用側液管（71a）に流入した冷媒は、ドレンパンヒーター（71b）を通過後に第２利用側液管（71c）を通って利用側電磁弁（62）へ流入する。利用側電磁弁（62）を通過した冷媒は、利用側膨張弁（63）を通過する際に膨張して気液二相状態となり、その後に利用側熱交換器（61）へ流入する。利用側熱交換器（61）では、流入した冷媒が庫内空気から吸熱して蒸発し、庫内空気が冷却される。利用側ユニット（12）は、利用側熱交換器（61）で冷却された庫内空気を、庫内空間へ送り返す。
【００６６】
利用側熱交換器（61）で蒸発した冷媒は、利用側ガス冷媒配管（72）を通ってガス側連絡配管（15）へ流入する。各利用側回路（23）からガス側連絡配管（15）へ流入した冷媒は、合流後に熱源側回路（21）へ流入し、ガス閉鎖弁（V2）と四方切換弁（32）とを順に通過後に吸入冷媒配管（52）を通って圧縮機（31a〜31c）へ吸入される。
【００６７】
一方、第１インジェクション主管（54m）へ流入した冷媒は、過冷却膨張弁（35）を通過する際に膨張して気液二相状態となり、その後に過冷却熱交換器（34）の第２流路（34b）に流入し、過冷却熱交換器（34）の第１流路（34a）を流れる冷媒（高圧冷媒）から吸熱して蒸発する。過冷却熱交換器（34）の第２流路（34b）から第２インジェクション主管（54n）へ流入した冷媒は、各圧縮機（31a〜31c）の中間ポートへ導入される。
【００６８】
−利用側制御器の動作−
上述したように、利用側ユニット（12）では、利用側制御器（99）が、吸込空気温度センサの計測値に基づいて利用側電磁弁（62）を開閉する。この利用側制御器（99）の動作について説明する。
【００６９】
利用側制御器（99）は、吸込空気温度センサの計測値Ｔrが庫内設定温度Ｔr_set±１℃の範囲（即ち、Ｔr_set−１≦Ｔr≦Ｔr_set＋１）となるように、利用側電磁弁（62）を操作する。
【００７０】
仮に、利用側電磁弁（62）が開状態であるとする。利用側電磁弁（62）が開いている状態では、利用側ユニット（12）が冷却状態となる。つまり、利用側熱交換器（61）へ冷媒が流入して蒸発し、利用側熱交換器（61）において庫内空気が冷却される。利用側電磁弁（62）が開いている状態では、庫内の気温（即ち、吸込空気温度センサの計測値Ｔr）が次第に低下してゆく。そして、吸込空気温度センサの計測値ＴrがＴr_set−１を下回る（即ち、Ｔr＜Ｔr_set−１になる）と、利用側制御器（99）は、利用側電磁弁（62）を開状態から閉状態へ切り換える。利用側制御器（99）は、利用側電磁弁（62）を開状態から閉状態へ切り換えると、利用側ユニット（12）が休止状態になったことを示すサーモオフ信号を、主制御器（90）に対して出力する。
【００７１】
利用側電磁弁（62）が閉じている状態では、利用側ユニット（12）が休止状態となる。つまり、利用側熱交換器（61）における冷媒の流通が遮断され、利用側熱交換器（61）において庫内空気は冷却されない。利用側電磁弁（62）が閉じている状態では、庫内の気温（即ち、吸込空気温度センサの計測値Ｔr）が次第に上昇してゆく。そして、吸込空気温度センサの計測値ＴrがＴr_set＋１を上回る（即ち、Ｔr_set＋１＜Ｔrになる）と、利用側制御器（99）は、利用側電磁弁（62）を閉状態から開状態へ切り換える。
【００７２】
なお、利用側制御器（99）は、主制御器（90）が出力する開放保持指令を受信可能に構成されている。開放保持指令については後述する。利用側制御器（99）は、開放保持指令を受信すると、開放保持指令が解除されるまでの間、利用側電磁弁（62）を開放状態に保持する。つまり、開放保持指令を受信してから開放保持指令が解除されるまでの間、利用側制御器（99）は、吸込空気温度センサの計測値ＴrがＴr_set−１を下回ったとしても、利用側電磁弁（62）を開放状態に保持し続ける。
【００７３】
−主制御器の動作−
上述したように、主制御器（90）は、圧縮機制御部（91）と、中間膨張弁制御部（92）と、過冷却膨張弁制御部（93）と、液ハンマー回避制御部（94）とを備えている。ここでは、圧縮機制御部（91）、中間膨張弁制御部（92）、過冷却膨張弁制御部（93）、及び液ハンマー回避制御部が行う動作について説明する。なお、主制御器（90）は、通常運転とデフロスト運転を切り換えるための四方切換弁（32）の操作と、熱源側ファン（22）の回転速度の制御も行う。
【００７４】
〈圧縮機制御部の動作〉
圧縮機制御部（91）は、第１圧縮機（31a）の運転容量の調節と、第２圧縮機（31b）及び第３圧縮機（31c）の作動と停止の切り換えとを、吸入圧力センサ（86）の計測値が所定の目標圧力となるように行う。
【００７５】
利用側ユニット（12）の冷却能力が庫内の冷却負荷に対して少なすぎる場合は、利用側熱交換器（61）における冷媒の蒸発圧力（即ち、冷凍サイクルの低圧）が上昇する。冷凍サイクルの低圧は、吸入圧力センサ（86）の計測値と実質的に等しい。そこで、吸入圧力センサ（86）の計測値が目標圧力を上回っている場合、圧縮機制御部（91）は、圧縮機（31a〜31c）の運転容量を引き上げる動作を行う。つまり、この場合、圧縮機制御部（91）は、インバータの出力周波数を次第に引き上げて第１圧縮機（31a）の運転容量を増加させる動作と、第２圧縮機（31b）と第３圧縮機（31c）のうち停止しているものを起動する動作とを行う。
【００７６】
一方、利用側ユニット（12）の冷却能力が庫内の冷却負荷に対して多すぎる場合は、利用側熱交換器（61）における冷媒の蒸発圧力（即ち、冷凍サイクルの低圧）が低下する。そこで、吸入圧力センサ（86）の計測値が目標圧力を下回っている場合、圧縮機制御部（91）は、圧縮機（31a〜31c）の運転容量を引き下げる動作を行う。つまり、この場合、圧縮機制御部（91）は、インバータの出力周波数を次第に引き下げて第１圧縮機（31a）の運転容量を減少させる動作と、第２圧縮機（31b）と第３圧縮機（31c）のうち作動しているものを停止させる動作とを行う。
【００７７】
〈中間膨張弁制御部の動作〉
中間膨張弁制御部（92）は、各中間膨張弁（36a〜36c）の開度を調節する。この中間膨張弁制御部（92）は、第１吐出冷媒温度センサ（81a）及び吐出圧力センサ（85）の計測値に基づいて第１中間膨張弁（36a）の開度を調節し、第２吐出冷媒温度センサ（81b）及び吐出圧力センサ（85）の計測値に基づいて第２中間膨張弁（36b）の開度を調節し、第３吐出冷媒温度センサ（81c）及び吐出圧力センサ（85）の計測値に基づいて第３中間膨張弁（36c）の開度を調節する。
【００７８】
ここでは、中間膨張弁制御部（92）が第１中間膨張弁（36a）の開度を調節する動作について説明する。中間膨張弁制御部（92）は、第２中間膨張弁（36b）と第３中間膨張弁（36c）に対しても、同様の開度調節動作を行う。
【００７９】
第１吐出冷媒温度センサ（81a）の計測値が所定の上限温度を上回っている場合、中間膨張弁制御部（92）は、第１吐出冷媒温度センサ（81a）の計測値を引き下げるために、第１中間膨張弁（36a）の開度を増やす動作を行う。
【００８０】
一方、第１吐出冷媒温度センサ（81a）の計測値が所定の上限温度を下回っている場合、中間膨張弁制御部（92）は、第１圧縮機（31a）から吐出された冷媒の過熱度が所定の目標吐出過熱度となるように、第１中間膨張弁（36a）の開度を調節する。具体的に、中間膨張弁制御部（92）は、第１圧縮機（31a）から吐出された冷媒の過熱度を、第１吐出冷媒温度センサ（81a）の計測値と吐出圧力センサ（85）の計測値とを用いて算出する。そして、中間膨張弁制御部（92）は、過熱度の算出値が目標吐出過熱度を上回っている場合は第１中間膨張弁（36a）の開度を増やし、過熱度の算出値が目標吐出過熱度を下回っている場合は第１中間膨張弁（36a）の開度を減らす。
【００８１】
また、中間膨張弁制御部（92）は、中間膨張弁（36a〜36c）に対応する圧縮機（31a〜31c）が作動している場合に中間膨張弁（36a〜36c）の開度調節を行い、中間膨張弁（36a〜36c）に対応する圧縮機（31a〜31c）が停止している場合は中間膨張弁（36a〜36c）を全閉状態に保持する。つまり、中間膨張弁制御部（92）は、第２圧縮機（31b）の作動中に第２中間膨張弁（36b）の開度を調節し、第２圧縮機（31b）の停止中に第２中間膨張弁（36b）を全閉状態に保持する。また、中間膨張弁制御部（92）は、第３圧縮機（31c）の作動中に第３中間膨張弁（36c）の開度を調節し、第３圧縮機（31c）の停止中に第３中間膨張弁（36c）を全閉状態に保持する。
【００８２】
〈過冷却膨張弁制御部の動作〉
過冷却膨張弁制御部（93）は、通常運転中に熱源側ユニット（11）から液側連絡配管（14）へ送り出される液冷媒の温度に応じて、過冷却膨張弁（35）の開度を調節する。通常運転中に熱源側ユニット（11）から液側連絡配管（14）へ送り出される液冷媒の温度は、液冷媒温度センサ（82）の計測値と実質的に等しい。そこで、過冷却膨張弁制御部（93）は、液冷媒温度センサ（82）の計測値が所定の目標液冷媒温度（例えば、２０℃）となるように、過冷却膨張弁（35）の開度を調節する。なお、通常運転中であり、且つ熱源側膨張弁（38）が全開状態である場合、熱源側ユニット（11）から液側連絡配管（14）へ送り出される液冷媒の過冷却度は、概ね０℃〜２０℃程度となる。
【００８３】
具体的に、液冷媒温度センサ（82）の計測値が目標液冷媒温度を上回っている場合、過冷却膨張弁制御部（93）は、過冷却膨張弁（35）の開度を減らし、過冷却膨張弁（35）から過冷却熱交換器（34）の第２流路（34b）へ送られる冷媒の温度を低下させる。一方、液冷媒温度センサ（82）の計測値が目標液冷媒温度を下回っている場合、過冷却膨張弁制御部（93）は、過冷却膨張弁（35）の開度を増やし、過冷却膨張弁（35）から過冷却熱交換器（34）の第２流路（34b）へ送られる冷媒の温度を上昇させる。
【００８４】
〈液ハンマー回避制御部の動作〉
液ハンマー回避制御部（94）は、液ハンマー回避制御を行う。この液ハンマー回避制御は、利用側ユニット（12）が冷却状態から休止状態に切り換わるときに行われる。ここでは、液ハンマー回避制御について、図４のフロー図を参照しながら説明する。
【００８５】
先ず、ステップST１において、液ハンマー回避制御部（94）は、利用側ユニット（12）からサーモオフ信号を受信しているか否かを判断する。サーモオフ信号を受信していない場合は、液ハンマーは生じないため、液ハンマー回避制御部（94）は液ハンマー回避制御を終了する。一方、サーモオフ信号を受信した場合、液ハンマー回避制御部（94）は、ステップST２へ移行する。
【００８６】
ステップST２において、液ハンマー回避制御部（94）は、利用側制御器（99）に対して開放保持指令を出力する。この開放保持指令は、利用側制御器（99）に利用側電磁弁（62）を開放状態に保持させるための指令信号である。上述したように、開放保持指令を受信した利用側制御器（99）は、開放保持指令が解除されるまでの間、利用側電磁弁（62）を開放状態に保持する。
【００８７】
続いて、液ハンマー回避制御部（94）は、準備動作を行う。この準備動作は、熱源側膨張弁（38）を閉じる前に、液側連絡配管（14）を流れる冷媒が気液二相状態となるように熱源側膨張弁（38）の開度を絞る動作である。図４のフロー図では、ステップST３からステップST５までの動作が準備動作に相当する。
【００８８】
ステップST３において、液ハンマー回避制御部（94）は、液側連絡配管（14）の冷媒圧力の目標値である目標圧力Ｐs_tを設定する。具体的に、液ハンマー回避制御部（94）は、液冷媒温度センサ（82）の計測値ＴＬを読み込む。液ハンマー回避制御部（94）は、読み込んだ計測値ＴＬと冷媒の物性とを用いて、計測値ＴＬにおける冷媒の飽和圧力を算出し、その飽和圧力の値を目標圧力Ｐs_tに設定する。
【００８９】
次のステップST４において、液ハンマー回避制御部（94）は、液冷媒圧力センサ（87）の計測値Ｐsが目標圧力Ｐs_tとなるように、熱源側膨張弁（38）の開度を縮小する。なお、ステップST４における熱源側膨張弁（38）の開度の縮小量は、予め定められた一定の値でもよいし、液冷媒圧力センサ（87）の計測値Ｐsと目標圧力Ｐs_tに応じて調節される値でもよい。
【００９０】
次のステップST５において、液ハンマー回避制御部（94）は、液冷媒圧力センサ（87）の計測値Ｐsを読み込み、読み込んだ計測値Ｐsと目標圧力Ｐs_tを比較する。計測値Ｐsが目標圧力Ｐs_t以上（Ｐs≧Ｐs_t）である場合、液ハンマー回避制御部（94）は、ステップST４へ戻り、熱源側膨張弁（38）の開度を更に縮小する。一方、計測値Ｐsが目標圧力Ｐs_t未満（Ｐs＜Ｐs_t）である場合は、液側連絡配管（14）を流れる冷媒が気液二相状態になっていると判断できる。そこで、この場合、液ハンマー回避制御部（94）は、ステップST６へ移行し、熱源側膨張弁（38）を全閉状態にする。
【００９１】
熱源側膨張弁（38）が全閉状態になると、熱源側回路（21）から液側連絡配管（14）へ冷媒が供給されなくなる。一方、この時点では、圧縮機（31a〜31c）が作動し続けている。このため、冷媒回路（20）では、液側連絡配管（14）、利用側回路（23）、及びガス側連絡配管（15）の冷媒圧力が低下してゆく。
【００９２】
次のステップST７において、液ハンマー回避制御部（94）は、吸入圧力センサ（86）の計測値ＬＰを読み込み、読み込んだ計測値ＬＰと、予め記憶する下限圧力ＬＰ_minを比較する。計測値ＬＰが下限圧力ＬＰ_min以上（ＬＰ≧ＬＰ_min）の場合、液ハンマー回避制御部（94）は、そのまま待機する。一方、計測値ＬＰが下限圧力ＬＰ_min未満（ＬＰ＜ＬＰ_min）の場合、液ハンマー回避制御部（94）は、ステップST８へ移行し、圧縮機（31a〜31c）を停止させる。
【００９３】
次のステップST８において、液ハンマー回避制御部（94）は、ステップST２において出力した開放保持指令を解除し、液ハンマー回避制御を終了する。この時点では、利用側ユニット（12）の利用側制御器（99）がサーモオフ信号を出力しているため、既に吸込空気温度センサの計測値ＴrがＴr_set−１を下回っている。このため、液ハンマー回避制御部（94）が開放保持指令を解除すると、利用側ユニット（12）の利用側制御器（99）は、利用側電磁弁（62）を閉鎖する。
【００９４】
−実施形態１の効果−
本実施形態の冷凍装置（10）において、利用側ユニット（12）が冷却状態から休止状態へ切り換わるときには、主制御器（90）の液ハンマー回避制御部（94）が液ハンマー回避制御を行う。つまり、液ハンマー回避制御部（94）は、利用側ユニット（12）からサーモオフ信号を受信すると、熱源側膨張弁（38）を全閉状態とし、吸入圧力センサ（86）の計測値ＬＰが下限圧力ＬＰ_minを下回ると圧縮機（31a〜31c）を停止させ、更には開放保持指令を解除する。
【００９５】
開放保持指令が解除されて利用側制御器（99）が利用側電磁弁（62）を閉鎖する時点では、液側連絡配管（14）の冷媒圧力が充分に下がっている。このため、利用側電磁弁（62）が閉鎖された時点では、利用側ユニット（12）が冷却状態であるときに比べて、利用側電磁弁（62）の流入側に存在する冷媒の密度が小さくなる。従って、本実施形態によれば、閉鎖状態となっている利用側電磁弁（62）の流入側に存在する冷媒の密度を低く抑えることによって、利用側電磁弁（62）を開いた際に液ハンマー現象が生じる可能性を低減できる。
【００９６】
また、本実施形態の液ハンマー回避制御部（94）は、利用側ユニット（12）が冷却状態から休止状態へ切り換わるときに、準備動作を行ってから熱源側膨張弁（38）を全閉状態とする。つまり、液ハンマー回避制御部（94）は、液側連絡配管（14）を流れる冷媒が気液二相状態となるように熱源側膨張弁（38）の開度を絞り、その後に熱源側膨張弁（38）を全閉状態とする。
開放保持指令が解除されて利用側制御器（99）が利用側電磁弁（62）を閉鎖する時点では、液側連絡配管（14）に液冷媒とガス冷媒の両方が存在している。液側連絡配管（14）にガス冷媒が存在すると、利用側電磁弁（62）を開いた際の圧力変動が、ガス冷媒の体積変化によって緩和される。従って、本実施形態によれば、液側連絡配管（14）にガス冷媒を存在させることによって、利用側電磁弁（62）を開いた際に液ハンマー現象が生じる可能性を一層低減できる。
【００９７】
《実施形態２》
実施形態２について説明する。ここでは、本実施形態の冷凍装置（10）について、実施形態１の冷凍装置（10）と異なる点を説明する。
【００９８】
図５に示すように、本実施形態の冷凍装置（10）は、複数台（本実施形態では二台）の利用側ユニット（12A,12B）を備えている。各利用側ユニット（12）は、いわゆるユニットクーラーである。図５に示す二台の利用側ユニット（12A,12B）は、一つの冷蔵庫の庫内（即ち、一つの空間）に設置される。なお、利用側ユニット（12）の台数は、単なる例示である。
【００９９】
冷媒回路（20）では、二台の利用側ユニット（12A,12B）が並列に配置される。つまり、本実施形態の冷媒回路（20）では、各利用側ユニット（12A,12B）の利用側回路（23）の液側端に液側連絡配管（14）が接続され、各利用側ユニット（12A,12B）の利用側回路（23）のガス側端にガス側連絡配管（15）が接続される。
【０１００】
本実施形態の冷凍装置（10）では、第１利用側ユニット（12A）だけが利用側制御器（99）と吸込空気温度センサとを備えている。この利用側制御器（99）は、第１利用側ユニット（12A）の利用側電磁弁（62）と、第２利用側ユニット（12B）の利用側電磁弁（62）とを制御する。
【０１０１】
つまり、吸込空気温度センサの計測値ＴrがＴr_set−１を下回る（即ち、Ｔr＜Ｔr_set−１になる）と、利用側制御器（99）は、各利用側ユニット（12A,12B）の利用側電磁弁（62）を開状態から閉状態へ切り換える。その結果、二台の利用側ユニット（12A,12B）が同時に冷却状態から休止状態に切り換わる。
【０１０２】
また、吸込空気温度センサの計測値ＴrがＴr_set＋１を上回る（即ち、Ｔr＞Ｔr_set＋１になる）と、利用側制御器（99）は、各利用側ユニット（12A,12B）の利用側電磁弁（62）を閉状態から開状態へ切り換える。その結果、二台の利用側ユニット（12A,12B）が同時に休止状態から冷却状態に切り換わる。
【０１０３】
実施形態１の冷凍装置（10）と同様に、本実施形態の冷凍装置（10）の主制御器（90）も、液ハンマー回避制御部（94）を備えている。そして、液ハンマー回避制御部（94）は、図４に示す液ハンマー回避制御を行う。
【産業上の利用可能性】
【０１０４】
以上説明したように、冷媒回路で冷媒を循環させて冷凍サイクルを行う冷凍装置について有用である。
【符号の説明】
【０１０５】
10    冷凍装置
11    熱源側ユニット
12    利用側ユニット
14    液側連絡配管
15    ガス側連絡配管
20    冷媒回路
31a   第１圧縮機
31b   第２圧縮機
31c   第３圧縮機
33    熱源側熱交換器
34    過冷却熱交換器
35    熱源側膨張弁
53c   第３熱源側液管（配管）
61    利用側熱交換器
63    利用側膨張弁
62    利用側電磁弁
82    液冷媒温度センサ（液側温度センサ）
87    液冷媒圧力センサ（液側圧力センサ）
90    制御器
【図１】
2018021723.tif 000003
【図２】
2018021723.tif 000004
【図３】
2018021723.tif 000005
【図４】
2018021723.tif 000006
【図５】
2018021723.tif 000007
【手続補正書】
【提出日】平成29年11月15日(2017.11.15)
【手続補正１】
【補正対象書類名】明細書
【補正対象項目名】全文
【補正方法】変更
【補正の内容】
【発明の詳細な説明】
【技術分野】
【０００１】
本発明は、冷媒回路で冷媒を循環させて冷凍サイクルを行う冷凍装置に関するものである。
【背景技術】
【０００２】
冷凍サイクルを行う冷凍装置の冷媒回路には、冷媒の流れを制御するために電磁弁が設けられる場合がある。一般的な電磁弁は、ソレノイドへの通電を断続することによって、開状態と閉状態に相互に切り換わる。
【０００３】
冷凍装置の冷媒回路では、高圧の液冷媒が流れる配管に、電磁弁が設けられる場合がある。この電磁弁が閉じた状態では、高圧の液冷媒の流れが電磁弁によって遮断される。そして、電磁弁の両側の圧力差が大きい状態で電磁弁が開くと、実質的に非圧縮性で且つ密度が比較的高い液冷媒が電磁弁の下流側へ急激に流入して液ハンマー現象が生じ、配管や膨張弁等の機器の破損を招くおそれがある。
【０００４】
特許文献１には、電磁弁の開放に起因する液ハンマー現象を抑えるため、液冷媒の流れる配管を電気ヒータで加熱することが開示されている。つまり、配管を電気ヒータで加熱することによって配管内の冷媒の一部を蒸発させ、電磁弁の開放に起因する配管内の圧力の急激な上昇を、配管内に圧縮性のガス冷媒を存在させることによって緩和している。
【先行技術文献】
【特許文献】
【０００５】
【特許文献１】特開平１１−３２５６５４号公報
【発明の概要】
【発明が解決しようとする課題】
【０００６】
上述した特許文献１の冷凍装置では、電磁弁の開放に起因する液ハンマー現象を抑えるために、配管を加熱するための電気ヒータが必要である。このため、冷凍装置の部品点数が増加し、製造コストの上昇を招く。また、電磁弁の閉鎖中は電気ヒータによって配管を加熱し続ける必要があり、冷凍装置の消費電量が増加し、冷凍装置のランニングコストの上昇を招くおそれがある。
【０００７】
本発明は、かかる点に鑑みてなされたものであり、その目的は、冷凍装置の製造コストやランニングコストの上昇を抑えつつ、電磁弁の開放に起因する液ハンマー現象を抑えることにある。
【課題を解決するための手段】
【０００８】
第１の発明は、熱源側ユニット（11）と利用側ユニット（12）が液側連絡配管（14）及びガス側連絡配管（15）を介して接続された冷媒回路（20）を備え、上記冷媒回路（20）で冷媒を循環させて冷凍サイクルを行う冷凍装置を対象とする。そして、上記熱源側ユニット（11）は、圧縮機（31a〜31c）と、熱源側熱交換器（33）と、該熱源側熱交換器（33）で凝縮した冷媒を上記液側連絡配管（14）へ送るための配管（53c）に設けられた熱源側膨張弁（38）とを有し、上記利用側ユニット（12）は、直列に配置された利用側熱交換器（61）と利用側膨張弁（63）と利用側電磁弁（62）とを有し、上記利用側電磁弁（62）が開いて上記利用側熱交換器（61）が蒸発器として機能する冷却状態と、上記利用側電磁弁（62）が閉じて上記利用側熱交換器（61）における冷媒の流通が遮断される休止状態とに切り換わる一方、上記利用側ユニット（12）が上記冷却状態から上記休止状態に切り換わるときに、上記熱源側膨張弁（38）を閉じた後に上記圧縮機（31a〜31c）の停止と上記利用側電磁弁（62）の閉鎖とを行うように構成された制御器（90）を備えるものである。
【０００９】
第１の発明では、熱源側ユニット（11）と複数の利用側ユニット（12）が冷媒回路（20）に設けられる。熱源側ユニット（11）の熱源側熱交換器（33）において凝縮した冷媒は、液側連絡配管（14）を通って利用側ユニット（12）へ流入する。利用側ユニット（12）において、液側連絡配管（14）から供給された冷媒は、利用側膨張弁（63）を通過する際に膨張し、その後に利用側熱交換器（61）へ流入して蒸発する。利用側熱交換器（61）では、空気等の冷却対象が冷媒によって冷却される。利用側ユニット（12）の利用側熱交換器（61）において蒸発した冷媒は、ガス側連絡配管（15）を通って熱源側ユニット（11）へ流入し、その後に圧縮機（31a〜31c）へ吸入されて圧縮される。
【００１０】
第１の発明において、利用側ユニット（12）が冷却状態から休止状態へ切り換わるときには、制御器（90）が所定の動作を行う。この制御器（90）の動作を説明する。制御器（90）は、先ず熱源側膨張弁（38）を閉じる。この時点では圧縮機（31a〜31c）が作動しているため、液側連絡配管（14）の冷媒圧力が次第に低下してゆく。制御器（90）は、その後に圧縮機（31a〜31c）の停止と利用側電磁弁（62）の閉鎖とを行う。このため、利用側電磁弁（62）が閉鎖された時点では、利用側ユニット（12）が冷却状態であるときに比べて、利用側電磁弁（62）の流入側に存在する冷媒の密度が小さくなる。
【００１１】
また、第１の発明は、上記の構成に加えて、上記制御器（90）は、上記利用側ユニット（12）が上記冷却状態から上記休止状態に切り換わるときに、上記熱源側膨張弁（38）を閉じる前に、上記液側連絡配管（14）を流れる冷媒が気液二相状態となるように上記熱源側膨張弁（38）の開度を絞る準備動作を行うように構成されるものである。
【００１２】
第１の発明の制御器（90）は、利用側ユニット（12）が冷却状態から休止状態に切り換わるときに、準備動作を行った後に熱源側膨張弁（38）を閉じる。準備動作において、制御器（90）は、液側連絡配管（14）を流れる冷媒が気液二相状態となるように、熱源側膨張弁（38）の開度を絞る。このため、熱源側膨張弁（38）が閉鎖され、その後に利用側電磁弁（62）が閉鎖された時点では、液側連絡配管（14）に液冷媒とガス冷媒の両方が存在することになる。
【００１３】
また、第１の発明は、上記の構成に加えて、上記熱源側ユニット（11）は、上記熱源側膨張弁（38）から上記液側連絡配管（14）へ送られる冷媒の圧力を計測する液側圧力センサ（87）と、上記熱源側膨張弁（38）から上記液側連絡配管（14）へ送られる冷媒の温度を計測する液側温度センサ（82）とを備える一方、上記制御器（90）は、上記液側圧力センサ（87）の計測圧力が上記液側温度センサ（82）の計測温度における冷媒の飽和圧力未満となるように上記熱源側膨張弁（38）の開度を絞る動作を、上記準備動作として行うように構成されるものである。
【００１４】
第１の発明において、制御器（90）は、液側圧力センサ（87）の計測圧力と液側温度センサ（82）の計測温度とを用いて、準備動作を行う。制御器（90）が準備動作を行い、液側圧力センサ（87）の計測圧力が液側温度センサ（82）の計測温度における冷媒の飽和圧力未満になった状態では、液側連絡配管（14）を流れる冷媒が気液二相状態となっている。
【発明の効果】
【００１５】
本発明では、利用側ユニット（12）が冷却状態から休止状態へ切り換わるときには、制御器（90）が所定の動作を行う。このため、利用側電磁弁（62）が閉鎖された時点では、利用側ユニット（12）が冷却状態であるときに比べて、利用側電磁弁（62）の流入側に存在する冷媒の密度が小さくなる。
【００１６】
閉鎖状態となっている利用側電磁弁（62）の流入側に存在する冷媒の密度が低いほど、利用側電磁弁（62）を開いた際に液ハンマー現象による弊害が生じる可能性が低くなる。一方、本発明によれば、利用側電磁弁（62）が閉鎖される前に、液側連絡配管（14）の冷媒圧力を低下させることによって、利用側電磁弁（62）の流入側に存在する冷媒の密度を予め低下させておくことができる。従って、本発明によれば、閉鎖状態となっている利用側電磁弁（62）の流入側に存在する冷媒の密度を低く抑えることによって、利用側電磁弁（62）を開いた際に液ハンマー現象が生じる可能性を低減できる。
【００１７】
また、本発明の制御器（90）は、利用側ユニット（12）が冷却状態から休止状態に切り換わるときに、準備動作を行った後に熱源側膨張弁（38）を閉じる。このため、熱源側膨張弁（38）の閉鎖後に利用側電磁弁（62）が閉鎖された時点では、液側連絡配管（14）に圧縮性を有するガス冷媒が存在することになる。液側連絡配管（14）にガス冷媒が存在すると、利用側電磁弁（62）を開いた際の圧力変動が、ガス冷媒の体積変化によって緩和される。従って、本発明によれば、液側連絡配管（14）にガス冷媒を存在させることによって、利用側電磁弁（62）を開いた際に液ハンマー現象が生じる可能性を一層低減できる。
【００１８】
また、本発明によれば、制御器（90）が液側圧力センサ（87）及び液側温度センサ（82）の計測値を用いて準備動作を行うことによって、液側連絡配管（14）を流れる冷媒を確実に気液二相状態とすることができる。
【図面の簡単な説明】
【００１９】
【図１】図１は、実施形態１の冷凍装置の概略構成を示す冷媒回路図である。
【図２】図２は、通常運転中の冷凍装置を示す冷媒回路図である。
【図３】図３は、主制御器の構成を示すブロック図である。
【図４】図４は、主制御器の液ハンマー回避制御部が行う動作を示すフロー図である。
【図５】図５は、実施形態２の冷凍装置の概略構成を示す冷媒回路図である。
【発明を実施するための形態】
【００２０】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００２１】
《実施形態１》
実施形態１について説明する。本実施形態の冷凍装置（10）は、冷蔵庫の庫内空間を冷却するためのものである。
【００２２】
図１に示すように、冷凍装置（10）は、一台の熱源側ユニット（11）と、一台の利用側ユニット（12）とを備えている。熱源側ユニット（11）は、いわゆる室外ユニットであって、屋外に設置される。利用側ユニット（12）は、いわゆるユニットクーラーであって、冷蔵庫の庫内に設置される。
【００２３】
熱源側ユニット（11）には、熱源側回路（21）と熱源側ファン（22）と主制御器（90）とが設けられている。一方、利用側ユニット（12）には、利用側回路（23）と利用側ファン（24）とドレンパン（25）と利用側制御器（99）とが設けられている。
【００２４】
冷凍装置（10）では、熱源側ユニット（11）の熱源側回路（21）と利用側ユニット（12）の利用側回路（23）とを液側連絡配管（14）及びガス側連絡配管（15）で接続することによって、冷媒回路（20）が構成されている。冷媒回路（20）は、冷媒を循環させることによって蒸気圧縮式の冷凍サイクルを行う。
【００２５】
熱源側回路（21）は、その液側端に液閉鎖弁（V1）が設けられ、そのガス側端にガス閉鎖弁（V2）が設けられている。液側連絡配管（14）は、熱源側回路（21）の液閉鎖弁（V1）を、利用側回路（23）の液側端に接続している。ガス側連絡配管（15）は、熱源側回路（21）のガス閉鎖弁（V2）を、利用側回路（23）のガス側端に接続している。
【００２６】
−熱源側回路−
熱源側回路（21）は、第１〜第３圧縮機（31a,31b,31c）と、四方切換弁（32）と、熱源側熱交換器（33）と、過冷却熱交換器（34）と、過冷却膨張弁（35）と、第１〜第３中間膨張弁（36a,36b,36c）と、レシーバ（37）と、熱源側膨張弁（38）と、第１〜第３逆止弁（CV1〜CV3）と、油分離器（41）とを有している。また、熱源側回路（21）には、吐出冷媒配管（51）と、吸入冷媒配管（52）と、熱源側液冷媒配管（53）と、インジェクション配管（54）と、第１接続配管（55）と、第２接続配管（56）と、油戻し配管（57）とが設けられている。なお、熱源側ユニット（11）に設けられる圧縮機（31a〜31c）の台数は、単なる例示である。
【００２７】
〈圧縮機〉
第１〜第３圧縮機（31a,31b,31c）は、いずれもスクロール式の全密閉型圧縮機である。各圧縮機（31a〜31c）には、吸入ポートと、中間ポートと、吐出ポートとが設けられている。圧縮機（31a〜31c）は、吸入ポートから吸い込んだ冷媒を圧縮し、圧縮した冷媒を吐出ポートから吐き出す。また、圧縮機（31a〜31c）の中間ポートは、圧縮途中の圧縮室へ冷媒を導入するためのポートである。
【００２８】
第１圧縮機（31a）は、その容量が可変である。第１圧縮機（31a）の電動機には、図外のインバータから電力が供給される。インバータの出力周波数を変更すると、第１圧縮機（31a）の回転速度が変化し、第１圧縮機（31a）の運転容量が変化する。一方、第２圧縮機（31b）と第３圧縮機（31c）のそれぞれは、その容量が固定である。第２圧縮機（31b）及び第３圧縮機（31c）は、一定の回転速度で回転する。
【００２９】
〈四方切換弁〉
四方切換弁（32）は、第１ポートと第３ポートとが連通し且つ第２ポートと第４ポートとが連通する第１状態（図１に実線で示す状態）と、第１ポートと第４ポートとが連通し且つ第２ポートと第３ポートとが連通する第２状態（図１に破線で示す状態）とに切り換え可能に構成されている。
【００３０】
四方切換弁（32）は、その第１ポートが吐出冷媒配管（51）によって圧縮機（31a〜31c）の吐出ポートに接続され、その第２ポートが吸入冷媒配管（52）によって圧縮機（31a〜31c）の吸入ポートに接続されている。また、四方切換弁（32）は、その第３ポートが熱源側熱交換器（33）のガス側端に接続され、その第４ポートがガス閉鎖弁（V2）に接続されている。
【００３１】
〈吐出冷媒配管，吸入冷媒配管〉
吐出冷媒配管（51）は、圧縮機（31a〜31c）と同数（本実施形態では三本）の吐出管（51a,51b,51c）と、一本の吐出合流管（51d）とによって構成されている。第１吐出管（51a）の一端は第１圧縮機（31a）の吐出ポートに、第２吐出管（51b）の一端は第２圧縮機（31b）の吐出ポートに、第３吐出管（51c）の一端は第３圧縮機（31c）の吐出ポートに、それぞれ接続されている。各吐出管（51a,51b,51c）の他端は、吐出合流管（51d）の一端に接続されている。吐出合流管（51d）の他端は、四方切換弁（32）の第１ポートに接続されている。
【００３２】
吸入冷媒配管（52）は、圧縮機（31a〜31c）と同数（本実施形態では三本）の吸入管（52a,52b,52c）と、一本の吸入主管（52d）とによって構成されている。第１吸入管（52a）の一端は第１圧縮機（31a）の吸入ポートに、第２吸入管（52b）の一端は第２圧縮機（31b）の吸入ポートに、第３吸入管（52c）の一端は第３圧縮機（31c）の吸入ポートに、それぞれ接続されている。各吸入管（52a,52b,52c）の他端は、吸入主管（52d）の一端に接続されている。吸入主管（52d）の他端は、四方切換弁（32）の第２ポートに接続されている。
【００３３】
〈熱源側熱交換器〉
熱源側熱交換器（33）は、クロスフィン式のフィン・アンド・チューブ型熱交換器であって、冷媒を室外空気と熱交換させる。熱源側熱交換器（33）は、その液側端が熱源側液冷媒配管（53）に接続され、そのガス側端が四方切換弁（32）の第３ポートに接続されている。また、熱源側熱交換器（33）の近傍には、熱源側熱交換器（33）へ室外空気を供給するための熱源側ファン（22）が配置されている。
【００３４】
〈過冷却熱交換器〉
過冷却熱交換器（34）は、いわゆるプレート式熱交換器である。過冷却熱交換器（34）には、第１流路（34a）と第２流路（34b）とが複数ずつ形成されている。過冷却熱交換器（34）は、第１流路（34a）を流れる冷媒を、第２流路（34b）を流れる冷媒と熱交換させる。
【００３５】
〈熱源側液冷媒配管〉
熱源側液冷媒配管（53）は、その一端が熱源側熱交換器（33）に接続され、その他端が液閉鎖弁（V1）に接続されている。熱源側液冷媒配管（53）は、三本の熱源側液管（53a,53b,53c）によって構成されている。第１熱源側液管（53a）は、熱源側熱交換器（33）の液側端とレシーバ（37）の入口を接続する。第２熱源側液管（53b）は、レシーバ（37）の出口と過冷却熱交換器（34）の第１流路（34a）の入口を接続する。第３熱源側液管（53c）は、過冷却熱交換器（34）の第１流路（34a）の出口と液閉鎖弁（V1）を接続する。
【００３６】
第１熱源側液管（53a）には、第１逆止弁（CV1）が設けられている。第１逆止弁（CV1）は、熱源側熱交換器（33）からレシーバ（37）へ向かう冷媒の流れを許容し、逆向きの冷媒の流れを阻止する。
【００３７】
第３熱源側液管（53c）には、過冷却熱交換器（34）から液閉鎖弁（V1）へ向かって順に、熱源側膨張弁（38）と第２逆止弁（CV2）とが設けられている。熱源側膨張弁（38）は、開度可変の電動膨張弁である。第２逆止弁（CV2）は、過冷却熱交換器（34）から液閉鎖弁（V1）へ向かう冷媒の流れを許容し、逆向きの冷媒の流れを阻止する。
【００３８】
〈インジェクション配管〉
インジェクション配管（54）は、二本のインジェクション主管（54m,54n）と、三本のインジェクション分岐管（54a,54b,54c）とによって構成されている。
【００３９】
第１インジェクション主管（54m）は、一端が第３熱源側液管（53c）における過冷却熱交換器（34）と熱源側膨張弁（38）の間に接続され、他端が過冷却熱交換器（34）の第２流路（34b）の入口に接続されている。この第１インジェクション主管（54m）は、過冷却用配管を構成している。第１インジェクション主管（54m）には、過冷却膨張弁（35）が設けられている。第２インジェクション主管（54n）は、その一端が過冷却熱交換器（34）の第２流路（34b）の出口に接続されている。第２インジェクション主管（54n）の他端には、各インジェクション分岐管（54a,54b,54c）の一端が接続されている。
【００４０】
第１インジェクション分岐管（54a）の他端は第１圧縮機（31a）の中間ポートに、第２インジェクション分岐管（54b）の他端は第２圧縮機（31b）の中間ポートに、第３インジェクション分岐管（54c）の他端は第３圧縮機（31c）の中間ポートに、それぞれ接続されている。各インジェクション分岐管（54a〜54c）には、中間膨張弁（36a,36b,36c）が一つずつ設けられている。各中間膨張弁（36a〜36c）は、開度可変の電動膨張弁である。
【００４１】
〈接続配管〉
第１接続配管（55）は、一端が第３熱源側液管（53c）における第２逆止弁（CV2）と液閉鎖弁（V1）の間に接続され、他端が第１熱源側液管（53a）における第１逆止弁（CV1）とレシーバ（37）の間に接続されている。第１接続配管（55）には、第３逆止弁（CV3）が設けられている。第３逆止弁（CV3）は、第１接続配管（55）の一端から他端へ向かう冷媒の流れを許容し、逆向きの冷媒の流れを阻止する。
【００４２】
第２接続配管（56）は、一端が第３熱源側液管（53c）における熱源側膨張弁（38）と第２逆止弁（CV2）の間に接続され、他端が第１熱源側液管（53a）における熱源側熱交換器（33）と第１逆止弁（CV1）の間に接続されている。第２接続配管（56）には、第４逆止弁（CV4）が設けられている。第４逆止弁（CV4）は、第２接続配管（56）の一端から他端へ向かう冷媒の流れを許容し、逆向きの冷媒の流れを阻止する。
【００４３】
〈油分離器、油戻し配管〉
油分離器（41）は、吐出冷媒配管（51）の吐出合流管（51d）に設けられている。圧縮機（31a〜31c）からは、ミスト状の冷凍機油を含んだガス冷媒が吐出される。油分離器（41）は、圧縮機（31a〜31c）から吐出された冷媒から冷凍機油を分離する。
【００４４】
油戻し配管（57）は、油分離器（41）から圧縮機（31a〜31c）へ冷凍機油を戻すための配管である。この油戻し配管（57）は、一端が油分離器（41）に接続され、他端が第２インジェクション主管（54n）に接続されている。また、油戻し配管（57）には、キャピラリチューブ（42）が設けられている。
【００４５】
〈温度センサ、圧力センサ〉
熱源側回路（21）には、温度センサ（81a,81b,81c,82）と圧力センサ（85,86,87）とが複数ずつ設けられている。
【００４６】
吐出冷媒配管（51）の各吐出管（51a,51b,51c）には、吐出冷媒温度センサ（81a,81b,81c）が一つずつ設けられている。第１吐出冷媒温度センサ（81a）は、第１吐出管（51a）に取り付けられ、第１圧縮機（31a）から吐出された冷媒の温度を計測する。第２吐出冷媒温度センサ（81b）は、第２吐出管（51b）に取り付けられ、第２圧縮機（31b）から吐出された冷媒の温度を計測する。第３吐出冷媒温度センサ（81c）は、第３吐出管（51c）に取り付けられ、第３圧縮機（31c）から吐出された冷媒の温度を計測する。
【００４７】
熱源側液冷媒配管（53）には、液冷媒温度センサ（82）が設けられている。液冷媒温度センサ（82）は、第３熱源側液管（53c）に取り付けられ、第３熱源側液管（53c）を流れる冷媒の温度を計測する。この液冷媒温度センサ（82）は、液側温度センサである。
【００４８】
吐出圧力センサ（85）は、吐出冷媒配管（51）の吐出合流管（51d）に接続され、圧縮機（31a〜31c）から吐出された冷媒の圧力を計測する。吸入圧力センサ（86）は、吸入冷媒配管（52）の吸入主管（52d）に接続され、圧縮機（31a〜31c）へ吸入される冷媒の圧力を計測する。液冷媒圧力センサ（87）は、熱源側液冷媒配管（53）の第３熱源側液管（53c）に接続され、第３熱源側液管（53c）を流れる冷媒の圧力を計測する。この液冷媒圧力センサ（87）は、液側圧力センサである。
【００４９】
−利用側回路−
利用側回路（23）は、利用側熱交換器（61）と、ドレンパンヒーター（71b）と、利用側電磁弁（62）と、利用側膨張弁（63）と一つずつを有している。また、利用側回路（23）には、利用側液冷媒配管（71）と、利用側ガス冷媒配管（72）とが一つずつ設けられている。
【００５０】
〈利用側熱交換器〉
利用側熱交換器（61）は、クロスフィン式のフィン・アンド・チューブ型熱交換器であって、冷媒を庫内空気と熱交換させる。また、利用側熱交換器（61）の近傍には、利用側熱交換器（61）へ庫内空気を供給するための利用側ファン（24）が配置されている。
【００５１】
〈ドレンパンヒーター〉
ドレンパンヒーター（71b）は、利用側熱交換器（61）の下方に配置されたドレンパン（25）に設けられた配管によって構成されている。このドレンパンヒーター（71b）は、ドレンパン（25）を暖めてドレン水の凍結を防ぐためのものである。
【００５２】
〈利用側液冷媒配管、利用側ガス冷媒配管〉
利用側液冷媒配管（71）は、第１利用側液管（71a）と第２利用側液管（71c）とによって構成されている。第１利用側液管（71a）は、一端が液側連絡配管（14）に接続され、他端がドレンパンヒーター（71b）の一端に接続されている。第１利用側液管（71a）の一端は、利用側回路（23）の液側端を構成している。第２利用側液管（71c）は、一端がドレンパンヒーター（71b）の他端に接続され、他端が利用側熱交換器（61）の液側端に接続されている。
【００５３】
利用側ガス冷媒配管（72）は、その一端が利用側熱交換器（61）のガス側端に接続され、その他端がガス側連絡配管（15）に接続されている。利用側ガス冷媒配管（72）の他端は、利用側回路（23）のガス側端を構成している。
【００５４】
〈利用側電磁弁，利用側膨張弁〉
利用側電磁弁（62）及び利用側膨張弁（63）は、利用側液冷媒配管（71）の第２利用側液管（71c）に設けられている。第２利用側液管（71c）において、利用側膨張弁（63）は、利用側電磁弁（62）と利用側熱交換器（61）の間に配置されている。
【００５５】
利用側電磁弁（62）は、ソレノイドへの通電を断続することによって、開状態と閉状態に切り換わる。利用側電磁弁（62）が開状態になると、利用側ユニット（12）は、利用側熱交換器（61）が蒸発器として機能して庫内空気を冷却する冷却状態となる。利用側電磁弁（62）が閉状態になると、利用側ユニット（12）は、利用側熱交換器（61）における冷媒の流通が遮断される休止状態となる。
【００５６】
利用側膨張弁（63）は、外部均圧形の温度自動膨張弁である。利用側膨張弁（63）の感温筒（63a）は、利用側ガス冷媒配管（72）の一端（利用側熱交換器（61）側の端部）近傍に取り付けられている。また、利用側膨張弁（63）の均圧管（63b）は、利用側ガス冷媒配管（72）の一端近傍に接続されている。
【００５７】
−主制御器−
図２に示すように、熱源側ユニット（11）の主制御器（90）は、圧縮機制御部（91）と、中間膨張弁制御部（92）と、過冷却膨張弁制御部（93）と、熱源側膨張弁制御部（94）とを備えている。主制御器（90）には、熱源側ユニット（11）に設けられた温度センサ（81a,81b,81c,82）及び圧力センサ（85,86,87）が入力される。また、主制御器（90）には、利用側ユニット（12）の利用側制御器（99）からサーモオフ信号が入力される。主制御器（90）が行う制御動作については後述する。
【００５８】
−利用側制御器−
図示しないが、利用側ユニット（12）には、吸込空気温度センサが設けられている。吸込空気温度センサは、利用側熱交換器（61）を通過する前の庫内空気の温度を計測する。利用側制御器（99）には、この吸込空気温度センサの計測値が入力される。利用側制御器（99）は、吸込空気温度センサの計測値に基づいて、利用側電磁弁（62）を開閉する。また、利用側制御器（99）は、利用側電磁弁（62）を閉鎖する場合にサーモオフ信号を出力する。この利用側制御器（99）が行う動作については後述する。
【００５９】
−冷凍装置の運転動作−
冷凍装置（10）では、庫内を冷却する通常運転と、利用側熱交換器（61）に付着した霜を融かすためのデフロスト運転とを、選択的に実行する。ここでは、通常運転について詳しく説明し、デフロスト運転の詳しい説明は省略する。
【００６０】
なお、デフロスト運転では、四方切換弁（32）が第２状態に設定され、利用側熱交換器（61）が凝縮器として機能し、熱源側熱交換器（33）が蒸発器として機能する。また、デフロスト運転では、利用側ファン（24）が停止状態となる。
【００６１】
〈通常運転〉
冷凍装置（10）の通常運転について、図２を参照しながら説明する。通常運転中の冷媒回路（20）では、冷媒を循環させることによって冷凍サイクルが行われ、熱源側熱交換器（33）が凝縮器として機能し、利用側熱交換器（61）が蒸発器として機能する。
【００６２】
ここでは、両方の利用側ユニット（12）が冷却状態となり、全ての圧縮機（31a〜31c）が作動している場合を例に、通常運転について説明する。
【００６３】
図２に示すように、通常運転では、四方切換弁（32）が第１状態に設定される。過冷却膨張弁（35）、中間膨張弁（36a,36b,36c）、及び熱源側膨張弁（38）は、主制御器（90）によって制御される。この主制御器（90）の動作については後述する。また、図２に示す場合には、各利用側ユニット（12）の利用側電磁弁（62）が開状態に設定される。
【００６４】
圧縮機（31a〜31c）から吐出された冷媒は、吐出冷媒配管（51）において油分離器（41）を通過した後に、四方切換弁（32）を通過して熱源側熱交換器（33）に流入し、熱源側熱交換器（33）において室外空気へ放熱して凝縮する。熱源側熱交換器（33）から流出した冷媒（高圧冷媒）は、第１熱源側液管（53a）とレシーバ（37）と第２熱源側液管（53b）とを順に通過して過冷却熱交換器（34）の第１流路（34a）へ流入し、過冷却熱交換器（34）の第２流路（34b）を流れる冷媒によって冷却される。過冷却熱交換器（34）の第１流路（34a）から第３熱源側液管（53c）へ流入した過冷却状態の液冷媒は、その一部が第１インジェクション主管（54m）に流入し、残りが熱源側膨張弁（38）と液閉鎖弁（V1）を順に通過した後に液側連絡配管（14）へ流入する。
【００６５】
液側連絡配管（14）に流入した冷媒は、各利用側ユニット（12）の利用側回路（23）へ分配される。各利用側回路（23）において、第１利用側液管（71a）に流入した冷媒は、ドレンパンヒーター（71b）を通過後に第２利用側液管（71c）を通って利用側電磁弁（62）へ流入する。利用側電磁弁（62）を通過した冷媒は、利用側膨張弁（63）を通過する際に膨張して気液二相状態となり、その後に利用側熱交換器（61）へ流入する。利用側熱交換器（61）では、流入した冷媒が庫内空気から吸熱して蒸発し、庫内空気が冷却される。利用側ユニット（12）は、利用側熱交換器（61）で冷却された庫内空気を、庫内空間へ送り返す。
【００６６】
利用側熱交換器（61）で蒸発した冷媒は、利用側ガス冷媒配管（72）を通ってガス側連絡配管（15）へ流入する。各利用側回路（23）からガス側連絡配管（15）へ流入した冷媒は、合流後に熱源側回路（21）へ流入し、ガス閉鎖弁（V2）と四方切換弁（32）とを順に通過後に吸入冷媒配管（52）を通って圧縮機（31a〜31c）へ吸入される。
【００６７】
一方、第１インジェクション主管（54m）へ流入した冷媒は、過冷却膨張弁（35）を通過する際に膨張して気液二相状態となり、その後に過冷却熱交換器（34）の第２流路（34b）に流入し、過冷却熱交換器（34）の第１流路（34a）を流れる冷媒（高圧冷媒）から吸熱して蒸発する。過冷却熱交換器（34）の第２流路（34b）から第２インジェクション主管（54n）へ流入した冷媒は、各圧縮機（31a〜31c）の中間ポートへ導入される。
【００６８】
−利用側制御器の動作−
上述したように、利用側ユニット（12）では、利用側制御器（99）が、吸込空気温度センサの計測値に基づいて利用側電磁弁（62）を開閉する。この利用側制御器（99）の動作について説明する。
【００６９】
利用側制御器（99）は、吸込空気温度センサの計測値Ｔrが庫内設定温度Ｔr_set±１℃の範囲（即ち、Ｔr_set−１≦Ｔr≦Ｔr_set＋１）となるように、利用側電磁弁（62）を操作する。
【００７０】
仮に、利用側電磁弁（62）が開状態であるとする。利用側電磁弁（62）が開いている状態では、利用側ユニット（12）が冷却状態となる。つまり、利用側熱交換器（61）へ冷媒が流入して蒸発し、利用側熱交換器（61）において庫内空気が冷却される。利用側電磁弁（62）が開いている状態では、庫内の気温（即ち、吸込空気温度センサの計測値Ｔr）が次第に低下してゆく。そして、吸込空気温度センサの計測値ＴrがＴr_set−１を下回る（即ち、Ｔr＜Ｔr_set−１になる）と、利用側制御器（99）は、利用側電磁弁（62）を開状態から閉状態へ切り換える。利用側制御器（99）は、利用側電磁弁（62）を開状態から閉状態へ切り換えると、利用側ユニット（12）が休止状態になったことを示すサーモオフ信号を、主制御器（90）に対して出力する。
【００７１】
利用側電磁弁（62）が閉じている状態では、利用側ユニット（12）が休止状態となる。つまり、利用側熱交換器（61）における冷媒の流通が遮断され、利用側熱交換器（61）において庫内空気は冷却されない。利用側電磁弁（62）が閉じている状態では、庫内の気温（即ち、吸込空気温度センサの計測値Ｔr）が次第に上昇してゆく。そして、吸込空気温度センサの計測値ＴrがＴr_set＋１を上回る（即ち、Ｔr_set＋１＜Ｔrになる）と、利用側制御器（99）は、利用側電磁弁（62）を閉状態から開状態へ切り換える。
【００７２】
なお、利用側制御器（99）は、主制御器（90）が出力する開放保持指令を受信可能に構成されている。開放保持指令については後述する。利用側制御器（99）は、開放保持指令を受信すると、開放保持指令が解除されるまでの間、利用側電磁弁（62）を開放状態に保持する。つまり、開放保持指令を受信してから開放保持指令が解除されるまでの間、利用側制御器（99）は、吸込空気温度センサの計測値ＴrがＴr_set−１を下回ったとしても、利用側電磁弁（62）を開放状態に保持し続ける。
【００７３】
−主制御器の動作−
上述したように、主制御器（90）は、圧縮機制御部（91）と、中間膨張弁制御部（92）と、過冷却膨張弁制御部（93）と、液ハンマー回避制御部（94）とを備えている。ここでは、圧縮機制御部（91）、中間膨張弁制御部（92）、過冷却膨張弁制御部（93）、及び液ハンマー回避制御部が行う動作について説明する。なお、主制御器（90）は、通常運転とデフロスト運転を切り換えるための四方切換弁（32）の操作と、熱源側ファン（22）の回転速度の制御も行う。
【００７４】
〈圧縮機制御部の動作〉
圧縮機制御部（91）は、第１圧縮機（31a）の運転容量の調節と、第２圧縮機（31b）及び第３圧縮機（31c）の作動と停止の切り換えとを、吸入圧力センサ（86）の計測値が所定の目標圧力となるように行う。
【００７５】
利用側ユニット（12）の冷却能力が庫内の冷却負荷に対して少なすぎる場合は、利用側熱交換器（61）における冷媒の蒸発圧力（即ち、冷凍サイクルの低圧）が上昇する。冷凍サイクルの低圧は、吸入圧力センサ（86）の計測値と実質的に等しい。そこで、吸入圧力センサ（86）の計測値が目標圧力を上回っている場合、圧縮機制御部（91）は、圧縮機（31a〜31c）の運転容量を引き上げる動作を行う。つまり、この場合、圧縮機制御部（91）は、インバータの出力周波数を次第に引き上げて第１圧縮機（31a）の運転容量を増加させる動作と、第２圧縮機（31b）と第３圧縮機（31c）のうち停止しているものを起動する動作とを行う。
【００７６】
一方、利用側ユニット（12）の冷却能力が庫内の冷却負荷に対して多すぎる場合は、利用側熱交換器（61）における冷媒の蒸発圧力（即ち、冷凍サイクルの低圧）が低下する。そこで、吸入圧力センサ（86）の計測値が目標圧力を下回っている場合、圧縮機制御部（91）は、圧縮機（31a〜31c）の運転容量を引き下げる動作を行う。つまり、この場合、圧縮機制御部（91）は、インバータの出力周波数を次第に引き下げて第１圧縮機（31a）の運転容量を減少させる動作と、第２圧縮機（31b）と第３圧縮機（31c）のうち作動しているものを停止させる動作とを行う。
【００７７】
〈中間膨張弁制御部の動作〉
中間膨張弁制御部（92）は、各中間膨張弁（36a〜36c）の開度を調節する。この中間膨張弁制御部（92）は、第１吐出冷媒温度センサ（81a）及び吐出圧力センサ（85）の計測値に基づいて第１中間膨張弁（36a）の開度を調節し、第２吐出冷媒温度センサ（81b）及び吐出圧力センサ（85）の計測値に基づいて第２中間膨張弁（36b）の開度を調節し、第３吐出冷媒温度センサ（81c）及び吐出圧力センサ（85）の計測値に基づいて第３中間膨張弁（36c）の開度を調節する。
【００７８】
ここでは、中間膨張弁制御部（92）が第１中間膨張弁（36a）の開度を調節する動作について説明する。中間膨張弁制御部（92）は、第２中間膨張弁（36b）と第３中間膨張弁（36c）に対しても、同様の開度調節動作を行う。
【００７９】
第１吐出冷媒温度センサ（81a）の計測値が所定の上限温度を上回っている場合、中間膨張弁制御部（92）は、第１吐出冷媒温度センサ（81a）の計測値を引き下げるために、第１中間膨張弁（36a）の開度を増やす動作を行う。
【００８０】
一方、第１吐出冷媒温度センサ（81a）の計測値が所定の上限温度を下回っている場合、中間膨張弁制御部（92）は、第１圧縮機（31a）から吐出された冷媒の過熱度が所定の目標吐出過熱度となるように、第１中間膨張弁（36a）の開度を調節する。具体的に、中間膨張弁制御部（92）は、第１圧縮機（31a）から吐出された冷媒の過熱度を、第１吐出冷媒温度センサ（81a）の計測値と吐出圧力センサ（85）の計測値とを用いて算出する。そして、中間膨張弁制御部（92）は、過熱度の算出値が目標吐出過熱度を上回っている場合は第１中間膨張弁（36a）の開度を増やし、過熱度の算出値が目標吐出過熱度を下回っている場合は第１中間膨張弁（36a）の開度を減らす。
【００８１】
また、中間膨張弁制御部（92）は、中間膨張弁（36a〜36c）に対応する圧縮機（31a〜31c）が作動している場合に中間膨張弁（36a〜36c）の開度調節を行い、中間膨張弁（36a〜36c）に対応する圧縮機（31a〜31c）が停止している場合は中間膨張弁（36a〜36c）を全閉状態に保持する。つまり、中間膨張弁制御部（92）は、第２圧縮機（31b）の作動中に第２中間膨張弁（36b）の開度を調節し、第２圧縮機（31b）の停止中に第２中間膨張弁（36b）を全閉状態に保持する。また、中間膨張弁制御部（92）は、第３圧縮機（31c）の作動中に第３中間膨張弁（36c）の開度を調節し、第３圧縮機（31c）の停止中に第３中間膨張弁（36c）を全閉状態に保持する。
【００８２】
〈過冷却膨張弁制御部の動作〉
過冷却膨張弁制御部（93）は、通常運転中に熱源側ユニット（11）から液側連絡配管（14）へ送り出される液冷媒の温度に応じて、過冷却膨張弁（35）の開度を調節する。通常運転中に熱源側ユニット（11）から液側連絡配管（14）へ送り出される液冷媒の温度は、液冷媒温度センサ（82）の計測値と実質的に等しい。そこで、過冷却膨張弁制御部（93）は、液冷媒温度センサ（82）の計測値が所定の目標液冷媒温度（例えば、２０℃）となるように、過冷却膨張弁（35）の開度を調節する。なお、通常運転中であり、且つ熱源側膨張弁（38）が全開状態である場合、熱源側ユニット（11）から液側連絡配管（14）へ送り出される液冷媒の過冷却度は、概ね０℃〜２０℃程度となる。
【００８３】
具体的に、液冷媒温度センサ（82）の計測値が目標液冷媒温度を上回っている場合、過冷却膨張弁制御部（93）は、過冷却膨張弁（35）の開度を減らし、過冷却膨張弁（35）から過冷却熱交換器（34）の第２流路（34b）へ送られる冷媒の温度を低下させる。一方、液冷媒温度センサ（82）の計測値が目標液冷媒温度を下回っている場合、過冷却膨張弁制御部（93）は、過冷却膨張弁（35）の開度を増やし、過冷却膨張弁（35）から過冷却熱交換器（34）の第２流路（34b）へ送られる冷媒の温度を上昇させる。
【００８４】
〈液ハンマー回避制御部の動作〉
液ハンマー回避制御部（94）は、液ハンマー回避制御を行う。この液ハンマー回避制御は、利用側ユニット（12）が冷却状態から休止状態に切り換わるときに行われる。ここでは、液ハンマー回避制御について、図４のフロー図を参照しながら説明する。
【００８５】
先ず、ステップST１において、液ハンマー回避制御部（94）は、利用側ユニット（12）からサーモオフ信号を受信しているか否かを判断する。サーモオフ信号を受信していない場合は、液ハンマーは生じないため、液ハンマー回避制御部（94）は液ハンマー回避制御を終了する。一方、サーモオフ信号を受信した場合、液ハンマー回避制御部（94）は、ステップST２へ移行する。
【００８６】
ステップST２において、液ハンマー回避制御部（94）は、利用側制御器（99）に対して開放保持指令を出力する。この開放保持指令は、利用側制御器（99）に利用側電磁弁（62）を開放状態に保持させるための指令信号である。上述したように、開放保持指令を受信した利用側制御器（99）は、開放保持指令が解除されるまでの間、利用側電磁弁（62）を開放状態に保持する。
【００８７】
続いて、液ハンマー回避制御部（94）は、準備動作を行う。この準備動作は、熱源側膨張弁（38）を閉じる前に、液側連絡配管（14）を流れる冷媒が気液二相状態となるように熱源側膨張弁（38）の開度を絞る動作である。図４のフロー図では、ステップST３からステップST５までの動作が準備動作に相当する。
【００８８】
ステップST３において、液ハンマー回避制御部（94）は、液側連絡配管（14）の冷媒圧力の目標値である目標圧力Ｐs_tを設定する。具体的に、液ハンマー回避制御部（94）は、液冷媒温度センサ（82）の計測値ＴＬを読み込む。液ハンマー回避制御部（94）は、読み込んだ計測値ＴＬと冷媒の物性とを用いて、計測値ＴＬにおける冷媒の飽和圧力を算出し、その飽和圧力の値を目標圧力Ｐs_tに設定する。
【００８９】
次のステップST４において、液ハンマー回避制御部（94）は、液冷媒圧力センサ（87）の計測値Ｐsが目標圧力Ｐs_tとなるように、熱源側膨張弁（38）の開度を縮小する。なお、ステップST４における熱源側膨張弁（38）の開度の縮小量は、予め定められた一定の値でもよいし、液冷媒圧力センサ（87）の計測値Ｐsと目標圧力Ｐs_tに応じて調節される値でもよい。
【００９０】
次のステップST５において、液ハンマー回避制御部（94）は、液冷媒圧力センサ（87）の計測値Ｐsを読み込み、読み込んだ計測値Ｐsと目標圧力Ｐs_tを比較する。計測値Ｐsが目標圧力Ｐs_t以上（Ｐs≧Ｐs_t）である場合、液ハンマー回避制御部（94）は、ステップST４へ戻り、熱源側膨張弁（38）の開度を更に縮小する。一方、計測値Ｐsが目標圧力Ｐs_t未満（Ｐs＜Ｐs_t）である場合は、液側連絡配管（14）を流れる冷媒が気液二相状態になっていると判断できる。そこで、この場合、液ハンマー回避制御部（94）は、ステップST６へ移行し、熱源側膨張弁（38）を全閉状態にする。
【００９１】
熱源側膨張弁（38）が全閉状態になると、熱源側回路（21）から液側連絡配管（14）へ冷媒が供給されなくなる。一方、この時点では、圧縮機（31a〜31c）が作動し続けている。このため、冷媒回路（20）では、液側連絡配管（14）、利用側回路（23）、及びガス側連絡配管（15）の冷媒圧力が低下してゆく。
【００９２】
次のステップST７において、液ハンマー回避制御部（94）は、吸入圧力センサ（86）の計測値ＬＰを読み込み、読み込んだ計測値ＬＰと、予め記憶する下限圧力ＬＰ_minを比較する。計測値ＬＰが下限圧力ＬＰ_min以上（ＬＰ≧ＬＰ_min）の場合、液ハンマー回避制御部（94）は、そのまま待機する。一方、計測値ＬＰが下限圧力ＬＰ_min未満（ＬＰ＜ＬＰ_min）の場合、液ハンマー回避制御部（94）は、ステップST８へ移行し、圧縮機（31a〜31c）を停止させる。
【００９３】
次のステップST８において、液ハンマー回避制御部（94）は、ステップST２において出力した開放保持指令を解除し、液ハンマー回避制御を終了する。この時点では、利用側ユニット（12）の利用側制御器（99）がサーモオフ信号を出力しているため、既に吸込空気温度センサの計測値ＴrがＴr_set−１を下回っている。このため、液ハンマー回避制御部（94）が開放保持指令を解除すると、利用側ユニット（12）の利用側制御器（99）は、利用側電磁弁（62）を閉鎖する。
【００９４】
−実施形態１の効果−
本実施形態の冷凍装置（10）において、利用側ユニット（12）が冷却状態から休止状態へ切り換わるときには、主制御器（90）の液ハンマー回避制御部（94）が液ハンマー回避制御を行う。つまり、液ハンマー回避制御部（94）は、利用側ユニット（12）からサーモオフ信号を受信すると、熱源側膨張弁（38）を全閉状態とし、吸入圧力センサ（86）の計測値ＬＰが下限圧力ＬＰ_minを下回ると圧縮機（31a〜31c）を停止させ、更には開放保持指令を解除する。
【００９５】
開放保持指令が解除されて利用側制御器（99）が利用側電磁弁（62）を閉鎖する時点では、液側連絡配管（14）の冷媒圧力が充分に下がっている。このため、利用側電磁弁（62）が閉鎖された時点では、利用側ユニット（12）が冷却状態であるときに比べて、利用側電磁弁（62）の流入側に存在する冷媒の密度が小さくなる。従って、本実施形態によれば、閉鎖状態となっている利用側電磁弁（62）の流入側に存在する冷媒の密度を低く抑えることによって、利用側電磁弁（62）を開いた際に液ハンマー現象が生じる可能性を低減できる。
【００９６】
また、本実施形態の液ハンマー回避制御部（94）は、利用側ユニット（12）が冷却状態から休止状態へ切り換わるときに、準備動作を行ってから熱源側膨張弁（38）を全閉状態とする。つまり、液ハンマー回避制御部（94）は、液側連絡配管（14）を流れる冷媒が気液二相状態となるように熱源側膨張弁（38）の開度を絞り、その後に熱源側膨張弁（38）を全閉状態とする。
開放保持指令が解除されて利用側制御器（99）が利用側電磁弁（62）を閉鎖する時点では、液側連絡配管（14）に液冷媒とガス冷媒の両方が存在している。液側連絡配管（14）にガス冷媒が存在すると、利用側電磁弁（62）を開いた際の圧力変動が、ガス冷媒の体積変化によって緩和される。従って、本実施形態によれば、液側連絡配管（14）にガス冷媒を存在させることによって、利用側電磁弁（62）を開いた際に液ハンマー現象が生じる可能性を一層低減できる。
【００９７】
《実施形態２》
実施形態２について説明する。ここでは、本実施形態の冷凍装置（10）について、実施形態１の冷凍装置（10）と異なる点を説明する。
【００９８】
図５に示すように、本実施形態の冷凍装置（10）は、複数台（本実施形態では二台）の利用側ユニット（12A,12B）を備えている。各利用側ユニット（12）は、いわゆるユニットクーラーである。図５に示す二台の利用側ユニット（12A,12B）は、一つの冷蔵庫の庫内（即ち、一つの空間）に設置される。なお、利用側ユニット（12）の台数は、単なる例示である。
【００９９】
冷媒回路（20）では、二台の利用側ユニット（12A,12B）が並列に配置される。つまり、本実施形態の冷媒回路（20）では、各利用側ユニット（12A,12B）の利用側回路（23）の液側端に液側連絡配管（14）が接続され、各利用側ユニット（12A,12B）の利用側回路（23）のガス側端にガス側連絡配管（15）が接続される。
【０１００】
本実施形態の冷凍装置（10）では、第１利用側ユニット（12A）だけが利用側制御器（99）と吸込空気温度センサとを備えている。この利用側制御器（99）は、第１利用側ユニット（12A）の利用側電磁弁（62）と、第２利用側ユニット（12B）の利用側電磁弁（62）とを制御する。
【０１０１】
つまり、吸込空気温度センサの計測値ＴrがＴr_set−１を下回る（即ち、Ｔr＜Ｔr_set−１になる）と、利用側制御器（99）は、各利用側ユニット（12A,12B）の利用側電磁弁（62）を開状態から閉状態へ切り換える。その結果、二台の利用側ユニット（12A,12B）が同時に冷却状態から休止状態に切り換わる。
【０１０２】
また、吸込空気温度センサの計測値ＴrがＴr_set＋１を上回る（即ち、Ｔr＞Ｔr_set＋１になる）と、利用側制御器（99）は、各利用側ユニット（12A,12B）の利用側電磁弁（62）を閉状態から開状態へ切り換える。その結果、二台の利用側ユニット（12A,12B）が同時に休止状態から冷却状態に切り換わる。
【０１０３】
実施形態１の冷凍装置（10）と同様に、本実施形態の冷凍装置（10）の主制御器（90）も、液ハンマー回避制御部（94）を備えている。そして、液ハンマー回避制御部（94）は、図４に示す液ハンマー回避制御を行う。
【産業上の利用可能性】
【０１０４】
以上説明したように、冷媒回路で冷媒を循環させて冷凍サイクルを行う冷凍装置について有用である。
【符号の説明】
【０１０５】
10    冷凍装置
11    熱源側ユニット
12    利用側ユニット
14    液側連絡配管
15    ガス側連絡配管
20    冷媒回路
31a   第１圧縮機
31b   第２圧縮機
31c   第３圧縮機
33    熱源側熱交換器
34    過冷却熱交換器
35    熱源側膨張弁
53c   第３熱源側液管（配管）
61    利用側熱交換器
63    利用側膨張弁
62    利用側電磁弁
82    液冷媒温度センサ（液側温度センサ）
87    液冷媒圧力センサ（液側圧力センサ）
90    制御器
【手続補正２】
【補正対象書類名】特許請求の範囲
【補正対象項目名】全文
【補正方法】変更
【補正の内容】
【特許請求の範囲】
【請求項１】
熱源側ユニット（11）と利用側ユニット（12）が液側連絡配管（14）及びガス側連絡配管（15）を介して接続された冷媒回路（20）を備え、
上記冷媒回路（20）で冷媒を循環させて冷凍サイクルを行う冷凍装置であって、
上記熱源側ユニット（11）は、圧縮機（31a〜31c）と、熱源側熱交換器（33）と、該熱源側熱交換器（33）で凝縮した冷媒を上記液側連絡配管（14）へ送るための配管（53c）に設けられた熱源側膨張弁（38）とを有し、
上記利用側ユニット（12）は、直列に配置された利用側熱交換器（61）と利用側膨張弁（63）と利用側電磁弁（62）とを有し、上記利用側電磁弁（62）が開いて上記利用側熱交換器（61）が蒸発器として機能する冷却状態と、上記利用側電磁弁（62）が閉じて上記利用側熱交換器（61）における冷媒の流通が遮断される休止状態とに切り換わる一方、
上記利用側ユニット（12）が上記冷却状態から上記休止状態に切り換わるときに、上記熱源側膨張弁（38）を閉じた後に上記圧縮機（31a〜31c）の停止と上記利用側電磁弁（62）の閉鎖とを行うように構成された制御器（90）を備え、
上記制御器（90）は、上記利用側ユニット（12）が上記冷却状態から上記休止状態に切り換わるときに、上記熱源側膨張弁（38）を閉じる前に、上記液側連絡配管（14）を流れる冷媒が気液二相状態となるように上記熱源側膨張弁（38）の開度を絞る準備動作を行うように構成され、
上記熱源側ユニット（11）は、
上記熱源側膨張弁（38）から上記液側連絡配管（14）へ送られる冷媒の圧力を計測する液側圧力センサ（87）と、
上記熱源側膨張弁（38）から上記液側連絡配管（14）へ送られる冷媒の温度を計測する液側温度センサ（82）とを備え、
上記制御器（90）は、上記液側圧力センサ（87）の計測圧力が上記液側温度センサ（82）の計測温度における冷媒の飽和圧力未満となるように上記熱源側膨張弁（38）の開度を絞る動作を、上記準備動作として行うように構成されている
ことを特徴とする冷凍装置。